(57)【特許請求の範囲】
【請求項１】
流体の圧力Ｐが下降することによって、一方のスイッチング状態から他方のスイッチング状態に変化する第１動作圧力Ｐｏｎが、第１規格範囲から、規格外になる確率が、使用による劣化によって、大きくなるように変化し、
流体の圧力Ｐが上昇することによって、前記他方のスイッチング状態から前記一方のスイッチング状態に変化する第２動作圧力Ｐｏｆｆが、第２規格範囲から、規格外になる確率が、使用による劣化によって、大きくなるように変化し、
第１および第２規格範囲は、相互にずれている圧力スイッチを使用し、
第１期間Ｗ１の使用後の全ての各圧力スイッチの第１または第２動作圧力Ｐｏｎ１，Ｐｏｆｆ１を測定するとともに、
この第１期間Ｗ１の使用後の圧力スイッチのうち、
測定された第１動作圧力Ｐｏｎ１が、第１規格範囲よりも狭い第３規格範囲内にあるもの、または
測定された第２動作圧力Ｐｏｆｆ１が、第２規格範囲よりも狭い第４規格範囲内にあるものを、第１の期間Ｗ１の次に続く第２の期間Ｗ２、使用するために選別し、
この選別にあたり、
第１期間Ｗ１の使用後の全ての各圧力スイッチに、第２期間Ｗ２未満の期間で第２期間Ｗ２の使用による特性の劣化と等価な劣化をさせる促進劣化試験を、それぞれ行い、
促進劣化試験後の各圧力スイッチの第１または第２動作圧力Ｐｏｎ２，Ｐｏｆｆ２を測定し、
これらの測定結果Ｐｏｎ１，Ｐｏｆｆ１；Ｐｏｎ２，Ｐｏｆｆ２を演算して、第３または第４規格範囲を設定することを特徴とする再使用可能な圧力スイッチの選別方法。
【請求項２】
第３または第４規格範囲は、
第１期間Ｗ１の使用後の全ての圧力スイッチの第１または第２動作圧力Ｐｏｎ１，Ｐｏｆｆ１が、第１または第２規格範囲から規格外になる第１累積確率をｑｏｎ１Ｌ，ｑｏｎ１Ｈ；ｑｏｆｆ１Ｌ，ｑｏｆｆ１Ｈとし、
促進劣化試験後の各圧力スイッチの第１または第２動作圧力Ｐｏｎ２，Ｐｏｆｆ２が、第１または第２規格範囲から規格外になる第２累積確率をｑｏｎ２Ｌ，ｑｏｎ２Ｈ；ｑｏｆｆ２Ｌ，ｑｏｆｆ２Ｈとするとき、
第１および第２累積確率ｑｏｎ１Ｌ，ｑｏｎ１Ｈ；ｑｏｆｆ１Ｌ，ｑｏｆｆ１Ｈ：ｑｏｎ２Ｌ，ｑｏｎ２Ｈ；ｑｏｆｆ２Ｌ，ｑｏｆｆ２Ｈがほぼ等しい（ｑｏｎ１Ｌ≒ｑｏｎ２Ｌ；ｑｏｎ１Ｈ≒ｑｏｎ２Ｌ：ｑｏｆｆ１Ｌ≒ｑｏｆｆ２Ｌ；ｑｏｆｆ１Ｈ≒ｑｏｆｆ２Ｈ）範囲に選ばれることを特徴とする請求項１記載の再使用可能な圧力スイッチの選別方法。
【請求項３】
流体の圧力Ｐが下降することによって、一方のスイッチング状態から他方のスイッチング状態に変化する第１動作圧力Ｐｏｎが、その第１動作圧力Ｐｏｎの第１設計規格値ＰｏｎＴが存在する未使用の予め定める規格圧力Ｐｏｎ０Ｌａ〜Ｐｏｎ０Ｈａによって規定される第１規格範囲内から、規格外になる初期確率ｑｏｎ０Ｌ，ｑｏｎ０Ｈを有し、
前記他方のスイッチング状態から前記一方のスイッチング状態に変化する第２動作圧力Ｐｏｆｆが、その第２動作圧力Ｐｏｆｆの第２設計規格値ＰｏｆｆＴが存在する未使用の予め定める規格圧力Ｐｏｆｆ０Ｌａ〜Ｐｏｆｆ０Ｈａによって規定される第２規格範囲内から、規格外になる初期確率ｑｏｆｆ０Ｌ，ｑｏｆｆ０Ｈを有し、
第１および第２規格範囲は、相互にずれている圧力スイッチを使用し、
第１の期間Ｗ１の使用後の圧力スイッチの第１または第２動作圧力を測定し、
この第１期間Ｗ１の使用後の圧力スイッチのうち、
測定された第１動作圧力Ｐｏｎ１が、第１規格範囲よりも狭い第３規格範囲内にあるもの、または
測定された第２動作圧力Ｐｏｆｆ１が、第２規格範囲よりも狭い第４規格範囲内にあるものを、選別し、
この選別された圧力スイッチを、さらに次の第２の期間Ｗ２、使用し、
この選別にあたり、
第１期間Ｗ１の使用後の全ての各圧力スイッチの第１または第２動作圧力Ｐｏｎ１，Ｐｏｆｆ１が、第１または第２規格範囲から規格外になる第１累積確率をｑｏｎ１Ｌ，ｑｏｎ１Ｈ；ｑｏｆｆ１Ｌ，ｑｏｆｆ１Ｈとし、
第１期間Ｗ１の使用後の前記選別された圧力スイッチが、さらに次の第２の期間Ｗ２、使用された後の第１または第２動作圧力Ｐｏｎ２，Ｐｏｆｆ２が、第１または第２規格範囲から規格外になる第２累積確率をｑｏｎ２Ｌ，ｑｏｎ２Ｈ；ｑｏｆｆ２Ｌ，ｑｏｆｆ２Ｈとするとき、
第３または第４規格範囲は、第１および第２累積確率ｑｏｎ１Ｌ，ｑｏｎ１Ｈ；ｑｏｆｆ１Ｌ，ｑｏｆｆ１Ｈ：ｑｏｎ２Ｌ，ｑｏｎ２Ｈ；ｑｏｆｆ２Ｌ，ｑｏｆｆ２Ｈがほぼ等しい（ｑｏｎ１Ｌ≒ｑｏｎ２Ｌ；ｑｏｎ１Ｈ≒ｑｏｎ２Ｌ：ｑｏｆｆ１Ｌ≒ｑｏｆｆ２Ｌ；ｑｏｆｆ１Ｈ≒ｑｏｆｆ２Ｈ）範囲に選ばれることを特徴とする再使用可能な圧力スイッチの選別方法。
【請求項４】
前記選別にあたり、
第１規格範囲を規定する第１規格圧力下限値Ｐｏｎ０Ｌａ、および第１規格圧力上限値Ｐｏｎ０Ｈａ、ならびに
第２規格範囲を規定する第２規格圧力下限値Ｐｏｆｆ０Ｌａ、および第２規格圧力上限値Ｐｏｆｆ０Ｈａのうちの１または複数に関して、
第１期間Ｗ１使用後の第１または第２動作圧力Ｐｏｎ１，Ｐｏｆｆ１のための選別圧力Ｐｏｎ１Ｌａ，Ｐｏｎ１Ｈａ；Ｐｏｆｆ１Ｌａ，Ｐｏｆｆ１Ｈａを設定することを特徴とする請求項１または３記載の再使用可能な圧力スイッチの選別方法。
【請求項５】
選別圧力は、
第１規格圧力下限値Ｐｏｎ０Ｌａを超える値Ｐｏｎ１Ｌａ（Ｐｏｎ０Ｌａ＜Ｐｏｎ１Ｌａ）、
第１規格圧力上限値Ｐｏｎ０Ｈａ未満の値Ｐｏｎ１Ｈａ（Ｐｏｎ０Ｈａ＞Ｐｏｎ１Ｈａ）、
第２規格圧力下限値Ｐｏｆｆ０Ｌａを超える値Ｐｏｆｆ１Ｌａ（Ｐｏｆｆ０Ｌａ＜Ｐｏｆｆ１Ｌａ）、または
第２規格圧力上限値Ｐｏｆｆ０Ｈａ未満の値Ｐｏｆｆ１Ｈａ（Ｐｏｆｆ０Ｈａ＞Ｐｏｆｆ１Ｈａ）
に、選ばれることを特徴とする請求項４記載の再使用可能な圧力スイッチの選別方法。
【請求項６】
第１規格範囲は、第２規格範囲よりも低い圧力の範囲であり、第１規格範囲の第１規格圧力下限値Ｐｏｎ０Ｌａ，Ｐｏｎ０Ｈａに関して、規格外に存在する初期累積確率ｑｏｎ０Ｌ，ｑｏｎ０Ｈが、予め定める基準累積確率ｑｏｎ０Ｌａ，ｑｏｎ０Ｈａ未満である未使用の複数の圧力スイッチを、
予め定める第１の期間Ｗ１、使用することによって、
その第１期間Ｗ１の使用後に第１規格範囲の規格外になる圧力スイッチの第１累積確率ｑｏｎ１Ｌ，ｑｏｎ１Ｈは、基準累積確率ｑｏｎ０Ｌａ，ｑｏｎ０Ｈａ未満であり、
第１期間Ｗ１の使用後の各圧力スイッチの第１動作圧力Ｐｏｎ１を測定し、
前記第１規格圧力下限値Ｐｏｎ０Ｌａを超える第３規格範囲の規格圧力下限値Ｐｏｎ１Ｌａを選別圧力として設定し、
この第１期間Ｗ１の使用後の圧力スイッチのうち、測定された第１動作圧力Ｐｏｎ１が、この選別圧力Ｐｏｎ１Ｌａ以上である圧力スイッチを、第１の期間Ｗ１の次に続く第２の期間Ｗ２、使用するために選別し、
この選別圧力Ｐｏｎ１Ｌａは、
第１期間Ｗ１の使用後の選別された圧力スイッチを、さらに次の第２の期間Ｗ２、使用した後の第１動作圧力Ｐｏｎ２が、第１規格範囲の規格外になる第２累積確率ｑｏｎ２Ｌが、基準累積確率ｑｏｎ０Ｌａ未満であって、かつ第１累積確率ｑｏｎ１Ｌとほぼ等しくなる値あるいはそれ未満の値に選ばれることを特徴とする請求項４または５記載の再使用可能な圧力スイッチの選別方法。
【請求項７】
圧力スイッチは、ガスメータに内蔵され、
このガスメータは、
ガスの流量を計測するメータ本体と、
ガスの供給を遮断する遮断弁と、
圧力スイッチの出力に応答し、メータ本体よりも下流側のガス圧力Ｐが、少なくとも第１規格範囲内の規格圧力下限値Ｐｏｎ０Ｌａ未満になったとき、遮断弁を閉じる制御手段とを含むことを特徴とする請求項１〜６のうちの１つに記載の再使用可能な圧力スイッチの選別方法。
【請求項８】
圧力スイッチは、メータ本体よりも下流側のガス圧力Ｐが、
少なくとも第２規格範囲内の規格圧力上限値Ｐｏｆｆ０Ｈａを超えたとき、前記一方のスイッチング状態に復帰することを特徴とする請求項１〜７のうちの１つに記載の再使用可能な圧力スイッチの選別方法。
【請求項９】
第１期間Ｗ１の使用後の全ての各圧力スイッチの第１または第２動作圧力Ｐｏｎ１，Ｐｏｆｆ１を測定するとともに、
第１期間Ｗ１の使用後の全ての圧力スイッチに、第２期間Ｗ２未満の期間で第２期間Ｗ２の使用による特性の劣化と等価な劣化をさせる促進劣化試験を、それぞれ行い、
促進劣化試験後の各圧力スイッチの第１または第２動作圧力Ｐｏｎ２，Ｐｏｆｆ２を測定し、
これらの測定結果Ｐｏｎ１，Ｐｏｆｆ１；Ｐｏｎ２，Ｐｏｆｆ２を演算して、第３または第４規格範囲を設定することを特徴とする請求項１〜８のうちの１つに記載の再使用可能な圧力スイッチの選別方法。
【請求項１０】
第１期間Ｗ１の使用後の全ての各圧力スイッチの第１動作圧力Ｐｏｎ１を測定するとともに、
その第１期間Ｗ１の使用後の全ての各圧力スイッチに、第２期間Ｗ２未満の期間で第２期間Ｗ２の使用による特性の劣化と等価な劣化をさせる促進劣化試験をそれぞれ行い、
促進劣化試験後の全ての各圧力スイッチの第１動作圧力Ｐｏｎ２を測定し、
その促進劣化試験後の第１動作圧力Ｐｏｎ２Ｌが、複数ｋ種類の予め定める各選別圧力設定用下限値Ｐｏｎ２Ｌａｒ（ｒは１〜ｋの自然数）を有する各第３規格範囲Ｒ３に関して選別圧力設定用下限値Ｐｏｎ２Ｌａｒ未満になる累積確率ｑｏｎ２Ｌａｒを計算し、
こうして計算された複数ｋ種類の累積確率ｑｏｎ２Ｌａｒのうち、その第１累積確率ｑｏｎ１未満であって、その第１累積確率ｑｏｎ１Ｌに最も近似した値ｑｏｎ２Ｌａｓ（ｓは１〜ｋのうちの１つの自然数）に対応する選別圧力設定用下限値Ｐｏｎ２Ｌａｓを、前記選別圧力として設定することを特徴とする請求項９記載の再使用可能な圧力スイッチの選別方法。
【請求項１１】
第２期間Ｗ２は、第１期間Ｗ１以下（Ｗ１≧Ｗ２）に選ばれることを特徴とする請求項１〜１０のうちの１つに記載の再使用可能な圧力スイッチの選別方法。
【請求項１２】
圧力スイッチが、ガスメータに内蔵され、
このガスメータは、
ガスの流量を計測するメータ本体と、
ガスの供給を遮断する遮断弁と、
圧力スイッチの出力に応答し、一方のスイッチング状態で遮断弁を開き、他方のスイッチング状態で遮断弁を閉じる制御手段とを含み、
圧力スイッチは、
メータ本体よりも下流側のガス圧力Ｐが、下降することによって、前記一方のスイッチング状態から前記他方のスイッチング状態に変化する第１動作圧力Ｐｏｎが、その第１動作圧力Ｐｏｎの第１設計規格値ＰｏｎＴが存在する未使用の予め定める規格圧力Ｐｏｎ０Ｌａ〜Ｐｏｎ０Ｈａによって規定される第１規格範囲から、予め定める第１の期間Ｗ１にわたる使用によって劣化して、規格外になる確率ｑｏｎ１Ｌ，ｑｏｎ１Ｈを有し、
メータ本体よりも下流側のガス圧力Ｐが、上昇することによって、前記他方のスイッチング状態から前記一方のスイッチング状態に変化する第２動作圧力Ｐｏｆｆが、その第２動作圧力Ｐｏｆｆの第２設計規格値ＰｏｆｆＴが存在する未使用の予め定める規格圧力Ｐｏｆｆ０Ｌａ〜Ｐｏｆｆ０Ｈａによって規定される第２規格範囲から、予め定める第１の期間Ｗ１にたわる使用によって劣化して、規格外になる確率ｑｏｆｆ１Ｌ，ｑｏｆｆ１Ｈを有し、
第１規格範囲は、第２規格範囲よりも低い圧力の範囲であり、
第１規格範囲の規格圧力下限値Ｐｏｎ０Ｌもしくは上限値Ｐｏｎ０Ｈまたは第２規格範囲の規格圧力下限値Ｐｏｆｆ０Ｌもしくは上限値Ｐｏｆｆ０Ｈに関して、規格外に存在する初期累積確率ｑｏｎ０Ｌ，ｑｏｎ０Ｈ；ｑｏｆｆ０Ｌ，ｑｏｆｆ０Ｈが、予め定める基準累積確率ｑｏｎ０Ｌａ，ｑｏｎ０Ｈａ；ｑｏｆｆ０Ｌａ，ｑｏｆｆ０Ｈａ未満（ｑｏｎ０Ｌ＜ｑｏｎ０Ｌａ，ｑｏｎ０Ｈ＜ｑｏｎ０Ｈａ；ｑｏｆｆ０Ｈ＜ｑｏｆｆ０Ｈａ，ｑｏｆｆ０Ｈ＜ｑｏｆｆ０Ｈａ）である未使用の複数の圧力スイッチを、
予め定める第１期間Ｗ１、使用し、
第１期間Ｗ１の使用後の全ての各圧力スイッチの第１または第２動作圧力Ｐｏｎ１，Ｐｏｆｆ１を測定し、
この第１期間Ｗ１の使用後の圧力スイッチのうち、
測定された第１動作圧力Ｐｏｎ１が、第１規格範囲よりも狭い第３規格範囲内にあるもの、または
測定された第２動作圧力Ｐｏｆｆ１が、第２規格範囲よりも狭い第４規格範囲内にあるものを、選別し、
この選別された圧力スイッチを、第１の期間Ｗ１の次に続く第２の期間Ｗ２、使用し、
この選別にあたり、
その第１期間Ｗ１の使用後に第１または第２規格範囲の規格外になる圧力スイッチの第１累積確率ｑｏｎ１Ｌ，ｑｏｎ１Ｈ；ｑｏｆｆ１Ｌ，ｑｏｆｆ１Ｈは、基準累積確率ｑｏｎ０Ｌａ，ｑｏｎ０Ｈａ；ｑｏｆｆ０Ｌａ，ｑｏｆｆ０Ｈａ未満（ｑｏｎ１Ｌ＜ｑｏｎ１Ｌａ，ｑｏｎ１Ｈ＜ｑｏｎ１Ｈａ；ｑｏｆｆ１Ｈ＜ｑｏｆｆ１Ｈａ，ｑｏｆｆ１Ｈ＜ｑｏｆｆ１Ｈａ）であり、
第１期間Ｗ１の使用後の全ての各圧力スイッチの第１および第２動作圧力Ｐｏｎ１，Ｐｏｆｆ１を測定するとともに、
その第１期間Ｗ１の使用後の全ての各圧力スイッチに、第２期間Ｗ２未満の期間で第２期間Ｗ２の使用による特性の劣化と等価な劣化をさせる促進劣化試験をそれぞれ行い、
促進劣化試験後の各圧力スイッチの第１および第２動作圧力Ｐｏｎ２，Ｐｏｆｆ２を測定し、
その促進劣化試験後の第１または第２動作圧力Ｐｏｎ２，Ｐｏｆｆ２が、複数ｋ種類の予め定める各選別圧力設定用下限値Ｐｏｎ２Ｌａｒ，Ｐｏｆｆ２Ｌａｒ（ｒは１〜ｋの自然数）または選別圧力設定用上限値Ｐｏｎ２Ｈａｒ，Ｐｏｆｆ２Ｈａｒを有する各第３または第４規格範囲に関して選別圧力設定用下限値Ｐｏｎ２Ｌａｒ，Ｐｏｆｆ２Ｌａｒ未満（Ｐｏｎ２＜Ｐｏｎ２Ｌａｒ，Ｐｏｆｆ２＜Ｐｏｆｆ２Ｌａｒ）の値または選別圧力設定用上限値Ｐｏｎ２Ｈａｒ，Ｐｏｆｆ２Ｈａｒを超える値（Ｐｏｎ２＞Ｐｏｎ２Ｈａｒ，Ｐｏｆｆ２＞Ｐｏｆｆ２Ｈａｒ）になる累積確率ｑｏｎ２Ｌａｒ，ｑｏｆｆ２Ｌａｒ；ｑｏｎ２Ｈａｒ，ｑｏｆｆ２Ｈａｒを計算し、
こうして計算された複数ｋ種類の累積確率ｑｏｎ２Ｌａｒ，ｑｏｆｆ２Ｌａｒ；ｑｏｎ２Ｈａｒ，ｑｏｆｆ２Ｈａｒのうち、その第１累積確率ｑｏｎ１Ｌ，ｑｏｎ１Ｈ；ｑｏｆｆ１Ｌ，ｑｏｆｆ１Ｈに最も近似した値ｑｏｎ２Ｌａｓ，ｑｏｎ２Ｈａｓ；ｑｏｆｆ２Ｌａｓ，ｑｏｆｆ２Ｈａｓ（ｓは１〜ｋのうちの１つの自然数）に対応する選別圧力設定用下限値Ｐｏｎ２Ｌａｓ，Ｐｏｆｆ２Ｌａｓまたは選別圧力設定用上限値Ｐｏｎ２Ｈａｓ，Ｐｏｆｆ２Ｈａｓを、前記選別圧力として設定し、
この第１期間Ｗ１の使用後の圧力スイッチのうち、測定された第１動作圧力Ｐｏｎ１，Ｐｏｆｆ１が、この選別圧力Ｐｏｎ２Ｌａｓ，Ｐｏｆｆ２Ｌａｓ以上、またはＰｏｎ２Ｈａｓ，Ｐｏｆｆ２Ｈａｓ以下である圧力スイッチを、第１の期間Ｗ１の次に続く第２の期間Ｗ２、使用するために選別することを特徴とする再使用可能な圧力スイッチの選別方法。
【請求項１３】
流体の圧力Ｐが下降することによって、一方のスイッチング状態から他方のスイッチング状態に変化する第１動作圧力Ｐｏｎが、その第１動作圧力Ｐｏｎの第１設計規格値ＰｏｎＴが存在する未使用の予め定める規格圧力Ｐｏｎ０Ｌａ〜Ｐｏｎ０Ｈａによって規定される第１規格範囲から、予め定める第１の期間Ｗ１にわたる使用によって劣化して、規格外になる確率ｑｏｎ１Ｌ，ｑｏｎ１Ｈを有し、
流体の圧力Ｐが上昇することによって、
前記他方のスイッチング状態から前記一方のスイッチング状態に変化する第２動作圧力Ｐｏｆｆが、その第２動作圧力Ｐｏｆｆの第２設計規格値ＰｏｆｆＴが存在する未使用の予め定める規格圧力Ｐｏｆｆ０Ｌａ〜Ｐｏｆｆ０Ｈａによって規定される第２規格範囲から、予め定める第１の期間Ｗ１にわたる使用によって劣化して、規格外になる確率ｑｏｆｆ１Ｌ，ｑｏｆｆ１Ｈを有し、
第１および第２規格範囲は、相互にずれている圧力スイッチを使用し、
第２期間Ｗ２は、第１期間Ｗ１未満（Ｗ１＞Ｗ２）に選ばれ、
未使用の複数の圧力スイッチを、第２期間Ｗ２と等しい使用期間Ｗ３、使用した後、第１または第２動作圧力Ｐｏｎ３，Ｐｏｆｆ３を測定し、
その使用期間Ｗ３の使用後に測定された第１または第２動作圧力Ｐｏｎ３，Ｐｏｆｆ３に基づき、第１または第２規格範囲から、規格外になる圧力スイッチの中間使用後累積確率ｑｏｎ３Ｌ，ｑｏｎ３Ｈ；ｑｏｆｆ３Ｌ，ｑｏｆｆ３Ｈを計算し、
第１期間Ｗ１の使用後の各圧力スイッチの第１または第２動作圧力Ｐｏｎ１，Ｐｏｆｆ１を測定し、
この第１期間Ｗ１の使用後の圧力スイッチのうち、
測定された第１動作圧力Ｐｏｎ１が、第１規格範囲よりも狭い第３規格範囲内にあるもの、または
測定された第２動作圧力Ｐｏｆｆ１が、第２規格範囲よりも狭い第４規格範囲内にあるものを、選別し、
こうして選別された圧力スイッチを、さらに次の第２の期間Ｗ２、使用し、
この選別にあたり、
第１期間Ｗ１の使用後の全ての各圧力スイッチに、第２期間Ｗ２未満で第２期間Ｗ２の使用による特性の劣化と等価な劣化をさせる促進劣化試験を、それぞれ行い、
促進劣化試験後の各圧力スイッチの第１または第２動作圧力Ｐｏｎ２，Ｐｏｆｆ２を測定し、
促進劣化試験後の各圧力スイッチの測定された第１または第２動作圧力Ｐｏｎ２，Ｐｏｆｆ２が、
複数ｋ種類の予め定める第３または第４規格範囲の規格外になる累積確率ｑｏｎ２Ｌａｒ，ｑｏｆｆ２Ｌａｒ；ｑｏｎ２Ｈａｒ，ｑｏｆｆ２Ｈａｒ（ｒは１〜ｋのうちの１つの自然数）を計算し、
こうして計算された複数ｋ種類の累積確率ｑｏｎ２Ｌａｒ，ｑｏｆｆ２Ｌａｒ；ｑｏｎ２Ｈａｒ，ｑｏｆｆ２Ｈａｒのうち、その中間使用後累積確率ｑｏｎ３Ｌ，ｑｏｎ３Ｈ；ｑｏｆｆ３Ｌ，ｑｏｆｆ３Ｈに最も近似した値ｑｏｎ２Ｌａｓ，ｑｏｎ２Ｈａｓ；ｑｏｆｆ２Ｌａｓ，ｑｏｆｆ２Ｈａｓ（ｓは１〜ｋのうちの１つの自然数）に対応する選別圧力設定用下限値Ｐｏｎ２Ｌａｓ，Ｐｏｆｆ２Ｌａｓまたは選別圧力設定用上限値Ｐｏｎ２Ｈａｓ，Ｐｏｆｆ２Ｈａｓを、前記選別圧力として設定し、
この第１期間Ｗ１の使用後の圧力スイッチのうち、測定された第１動作圧力Ｐｏｎ１，Ｐｏｆｆ１が、この選別圧力Ｐｏｎ２Ｌａｓ，Ｐｏｆｆ２Ｌａｓ以上、またはＰｏｎ２Ｈａｓ，Ｐｏｆｆ２Ｈａｓ以下である圧力スイッチを、第１の期間Ｗ１の次に続く第２の期間Ｗ２、使用するために選別することを特徴とする再使用可能な圧力スイッチの選別方法。
【請求項１４】
圧力スイッチは、ガスメータに内蔵され、
このガスメータは、
ガスの流量を計測するメータ本体と、
ガスの供給を遮断する遮断弁と、
圧力スイッチの出力に応答し、メータ本体よりも下流側のガス圧力Ｐが、少なくとも第１規格範囲内の規格圧力下限値Ｐｏｎ０Ｌａ未満になったとき、遮断弁を閉じる制御手段とを含むことを特徴とする請求項１３記載の再使用可能な圧力スイッチの選別方法。
【請求項１５】
促進劣化試験は、複数ｄ種類の各試験項目毎に行い、
促進劣化試験後の各圧力スイッチの第１または第２動作圧力Ｐｏｎ２，Ｐｏｆｆ２が、第１または第２規格範囲から規格外になる複数ｄ種類の全ての試験項目にわたる累積確率ｑｏｎ２Ｌａｒ，ｑｏｎ２Ｈａｒ；ｑｏｆｆ２Ｌａｒ，ｑｏｆｆ２Ｈａｒを求め、
これらの累積確率ｑｏｎ２Ｌａｒ，ｑｏｎ２Ｈａｒ；ｑｏｆｆ２Ｌａｒ，ｑｏｆｆ２Ｈａｒを、前記第２累積確率ｑｏｎ２Ｌ，ｑｏｎ２Ｈ；ｑｏｆｆ２Ｌ，ｑｏｆｆ２Ｈとして用いることを特徴とする請求項２，３または６記載の再使用可能な圧力スイッチの選別方法。
【請求項１６】
促進劣化試験は、複数ｄ種類の各試験項目毎に行い、
促進劣化試験後の各圧力スイッチの第１または第２動作圧力Ｐｏｎ２，Ｐｏｆｆ２が、第１または第２規格範囲から規格外になる複数ｄ種類の各試験項目毎の個別累積確率ｑｏｎ２Ｌｅ，ｑｏｎ２Ｈｅ；ｑｏｆｆ２Ｌｅ，ｑｏｆｆ２Ｈｅ（ｅは１〜ｄのうちの１つの自然数）を求め、
これらの個別累積確率の全ての種類の試験項目にわたる平均値ｑｍを演算し、この平均値ｑｍを、前記第２累積確率ｑｏｎ２Ｌ，ｑｏｎ２Ｈ；ｑｏｆｆ２Ｌ，ｑｏｆｆ２Ｈとして用いることを特徴とする請求項２，３または６記載の再使用可能な圧力スイッチの選別方法。
【請求項１７】
使用によって劣化して、電気的動作状態が変化する物理量Ｐが、予め定める規格範囲から規格外になる部品であって、
規格外に存在する初期累積確率ｑｏｎ０Ｌが、予め定める基準累積確率ｑｏｎ０Ｌａ未満である未使用の複数の部品を、
予め定める第１の期間Ｗ１、使用することによって、
その第１期間Ｗ１の使用後に規格外になる部品の第１累積確率ｑｏｎ１Ｌは、基準累積確率ｑｏｎ０Ｌａ未満であり、
第１期間Ｗ１の使用後の部品の物理量Ｐｏｎ１を測定し、
この第１期間Ｗ１の使用後の圧力スイッチのうち、測定された物理量Ｐｏｎ１が、前記規格範囲の規格内にある予め定める選別物理量Ｐｏｎ２Ｌａｓよりも、規格範囲に関して、もっと規格内に存在する部品を、第１の期間Ｗ１の次に続く第２の期間Ｗ２、使用するために選別し、
この選別物理量Ｐｏｎ２Ｌａｓは、
第１期間Ｗ１の使用後の選別された部品をさらに次の第２期間Ｗ２、使用した後、前記規格範囲から規格外になる第２累積確率ｑｏｎ２Ｌａｒが、第１累積確率ｑｏｎ１Ｌ未満である値に選ばれることを特徴とする再使用可能な部品の選別方法。
【発明の詳細な説明】
【０００１】
【発明の属する技術分野】
本発明は、たとえば、長期間にわたって使用されるガスメータに備えられている圧力スイッチのうち、さらに次の長期間にわたって再使用することができる圧力スイッチを、選別するための再使用可能な圧力スイッチの選別方法に関する。
【０００２】
【従来の技術】
ガスメータに備えられる圧力スイッチは、ガスメータの下流側の都市ガスなどのガスの圧力が、大量のガス漏洩によって、大きく低下したとき、スイッチング状態がオンとなり、これによってガスメータに備えられている遮断弁を遮断するために用いられる。圧力スイッチがオンになるガスの圧力を、オン圧と言うことにする。オン圧が予め定める下限値よりも低すぎると、さらに大量のガス漏洩して、大きな事故を発生するおそれがある。したがって圧力スイッチのオン圧の下限値は、予め定める設計規格の範囲内に確実に存在しなければならない。
【０００３】
先行技術では、たとえば１０年の検定満期後のガスメータ、およびその期間の途中で取換えられたガスメータを回収し、これらのガスメータに搭載されている計量部の膜、機構部品などを、資源の有効利用、コスト削減の観点から、再使用しているが、前述のオン圧の下限値が設計規格の範囲内に確実に存在していなければならないことが厳格に要求される圧力スイッチは、取外されて廃棄され、新たな圧力スイッチと交換されて、ガスメータが再使用される。ガスメータの回収後、圧力スイッチの廃棄される理由は、圧力スイッチが再使用可能かどうかの選別方法が従来では、明確ではなく、再使用された圧力スイッチの故障率が増加することが危惧されるからである。
【０００４】
【発明が解決しようとする課題】
本発明の目的は、一旦使用された後に回収された圧力スイッチおよびその他の部品の選別を行って、次に続く期間、正常な動作を行って再使用することができる圧力スイッチおよびその他の部品を選別するための再使用可能な圧力スイッチおよび部品の選別方法を提供することである。
【０００５】
【課題を解決するための手段】
本発明は、流体の圧力Ｐが下降することによって、一方のスイッチング状態から他方のスイッチング状態に変化する第１動作圧力Ｐｏｎが、第１規格範囲から、規格外になる確率が、使用による劣化によって、大きくなるように変化し、
流体の圧力Ｐが上昇することによって、前記他方のスイッチング状態から前記一方のスイッチング状態に変化する第２動作圧力Ｐｏｆｆが、第２規格範囲から、規格外になる確率が、使用による劣化によって、大きくなるように変化し、
第１および第２規格範囲は、相互にずれている圧力スイッチを使用し、
第１期間Ｗ１の使用後の全ての各圧力スイッチの第１または第２動作圧力Ｐｏｎ１，Ｐｏｆｆ１を測定するとともに、
この第１期間Ｗ１の使用後の圧力スイッチのうち、
測定された第１動作圧力Ｐｏｎ１が、第１規格範囲よりも狭い第３規格範囲内にあるもの、または
測定された第２動作圧力Ｐｏｆｆ１が、第２規格範囲よりも狭い第４規格範囲内にあるものを、第１の期間Ｗ１の次に続く第２の期間Ｗ２、使用するために選別し、
この選別にあたり、
第１期間Ｗ１の使用後の全ての各圧力スイッチに、第２期間Ｗ２未満の期間で第２期間Ｗ２の使用による特性の劣化と等価な劣化をさせる促進劣化試験を、それぞれ行い、
促進劣化試験後の各圧力スイッチの第１または第２動作圧力Ｐｏｎ２，Ｐｏｆｆ２を測定し、
これらの測定結果Ｐｏｎ１，Ｐｏｆｆ１；Ｐｏｎ２，Ｐｏｆｆ２を演算して、第３または第４規格範囲を設定することを特徴とする再使用可能な圧力スイッチの選別方法である。
【０００６】
また本発明は、第３または第４規格範囲は、
第１期間Ｗ１の使用後の全ての圧力スイッチの第１または第２動作圧力Ｐｏｎ１，Ｐｏｆｆ１が、第１または第２規格範囲から規格外になる第１累積確率をｑｏｎ１Ｌ，ｑｏｎ１Ｈ；ｑｏｆｆ１Ｌ，ｑｏｆｆ１Ｈとし、
促進劣化試験後の各圧力スイッチの第１または第２動作圧力Ｐｏｎ２，Ｐｏｆｆ２が、第１または第２規格範囲から規格外になる第２累積確率をｑｏｎ２Ｌ，ｑｏｎ２Ｈ；ｑｏｆｆ２Ｌ，ｑｏｆｆ２Ｈとするとき、
第１および第２累積確率ｑｏｎ１Ｌ，ｑｏｎ１Ｈ；ｑｏｆｆ１Ｌ，ｑｏｆｆ１Ｈ：ｑｏｎ２Ｌ，ｑｏｎ２Ｈ；ｑｏｆｆ２Ｌ，ｑｏｆｆ２Ｈがほぼ等しい（ｑｏｎ１Ｌ≒ｑｏｎ２Ｌ；ｑｏｎ１Ｈ≒ｑｏｎ２Ｌ：ｑｏｆｆ１Ｌ≒ｑｏｆｆ２Ｌ；ｑｏｆｆ１Ｈ≒ｑｏｆｆ２Ｈ）範囲に選ばれることを特徴とする。
【０００７】
また本発明は、流体の圧力Ｐが下降することによって、一方のスイッチング状態から他方のスイッチング状態に変化する第１動作圧力Ｐｏｎが、その第１動作圧力Ｐｏｎの第１設計規格値ＰｏｎＴが存在する未使用の予め定める規格圧力Ｐｏｎ０Ｌａ〜Ｐｏｎ０Ｈａによって規定される第１規格範囲内から、規格外になる初期確率ｑｏｎ０Ｌ，ｑｏｎ０Ｈを有し、
前記他方のスイッチング状態から前記一方のスイッチング状態に変化する第２動作圧力Ｐｏｆｆが、その第２動作圧力Ｐｏｆｆの第２設計規格値ＰｏｆｆＴが存在する未使用の予め定める規格圧力Ｐｏｆｆ０Ｌａ〜Ｐｏｆｆ０Ｈａによって規定される第２規格範囲内から、規格外になる初期確率ｑｏｆｆ０Ｌ，ｑｏｆｆ０Ｈを有し、
第１および第２規格範囲は、相互にずれている圧力スイッチを使用し、
第１の期間Ｗ１の使用後の圧力スイッチの第１または第２動作圧力を測定し、
この第１期間Ｗ１の使用後の圧力スイッチのうち、
測定された第１動作圧力Ｐｏｎ１が、第１規格範囲よりも狭い第３規格範囲内にあるもの、または
測定された第２動作圧力Ｐｏｆｆ１が、第２規格範囲よりも狭い第４規格範囲内にあるものを、選別し、
この選別された圧力スイッチを、さらに次の第２の期間Ｗ２、使用し、
この選別にあたり、
第１期間Ｗ１の使用後の全ての各圧力スイッチの第１または第２動作圧力Ｐｏｎ１，Ｐｏｆｆ１が、第１または第２規格範囲から規格外になる第１累積確率をｑｏｎ１Ｌ，ｑｏｎ１Ｈ；ｑｏｆｆ１Ｌ，ｑｏｆｆ１Ｈとし、
第１期間Ｗ１の使用後の前記選別された圧力スイッチが、さらに次の第２の期間Ｗ２、使用された後の第１または第２動作圧力Ｐｏｎ２，Ｐｏｆｆ２が、第１または第２規格範囲から規格外になる第２累積確率をｑｏｎ２Ｌ，ｑｏｎ２Ｈ；ｑｏｆｆ２Ｌ，ｑｏｆｆ２Ｈとするとき、
第３または第４規格範囲は、第１および第２累積確率ｑｏｎ１Ｌ，ｑｏｎ１Ｈ；ｑｏｆｆ１Ｌ，ｑｏｆｆ１Ｈ：ｑｏｎ２Ｌ，ｑｏｎ２Ｈ；ｑｏｆｆ２Ｌ，ｑｏｆｆ２Ｈがほぼ等しい（ｑｏｎ１Ｌ≒ｑｏｎ２Ｌ；ｑｏｎ１Ｈ≒ｑｏｎ２Ｌ：ｑｏｆｆ１Ｌ≒ｑｏｆｆ２Ｌ；ｑｏｆｆ１Ｈ≒ｑｏｆｆ２Ｈ）範囲に選ばれることを特徴とする再使用可能な圧力スイッチの選別方法である。
【０００８】
また本発明は、前記選別にあたり、
第１規格範囲を規定する第１規格圧力下限値Ｐｏｎ０Ｌａ、および第１規格圧力上限値Ｐｏｎ０Ｈａ、ならびに
第２規格範囲を規定する第２規格圧力下限値Ｐｏｆｆ０Ｌａ、および第２規格圧力上限値Ｐｏｆｆ０Ｈａのうちの１または複数に関して、
第１期間Ｗ１使用後の第１または第２動作圧力Ｐｏｎ１，Ｐｏｆｆ１のための選別圧力Ｐｏｎ１Ｌａ，Ｐｏｎ１Ｈａ；Ｐｏｆｆ１Ｌａ，Ｐｏｆｆ１Ｈａを設定することを特徴とする。
【０００９】
また本発明は、選別圧力は、
第１規格圧力下限値Ｐｏｎ０Ｌａを超える値Ｐｏｎ１Ｌａ（Ｐｏｎ０Ｌａ＜Ｐｏｎ１Ｌａ）、
第１規格圧力上限値Ｐｏｎ０Ｈａ未満の値Ｐｏｎ１Ｈａ（Ｐｏｎ０Ｈａ＞Ｐｏｎ１Ｈａ）、
第２規格圧力下限値Ｐｏｆｆ０Ｌａを超える値Ｐｏｆｆ１Ｌａ（Ｐｏｆｆ０Ｌａ＜Ｐｏｆｆ１Ｌａ）、または
第２規格圧力上限値Ｐｏｆｆ０Ｈａ未満の値Ｐｏｆｆ１Ｈａ（Ｐｏｆｆ０Ｈａ＞Ｐｏｆｆ１Ｈａ）
に、選ばれることを特徴とする。
【００１０】
また本発明は、第１規格範囲は、第２規格範囲よりも低い圧力の範囲であり、第１規格範囲の第１規格圧力下限値Ｐｏｎ０Ｌａ，Ｐｏｎ０Ｈａに関して、規格外に存在する初期累積確率ｑｏｎ０Ｌ，ｑｏｎ０Ｈが、予め定める基準累積確率ｑｏｎ０Ｌａ，ｑｏｎ０Ｈａ未満である未使用の複数の圧力スイッチを、
予め定める第１の期間Ｗ１、使用することによって、
その第１期間Ｗ１の使用後に第１規格範囲の規格外になる圧力スイッチの第１累積確率ｑｏｎ１Ｌ，ｑｏｎ１Ｈは、基準累積確率ｑｏｎ０Ｌａ，ｑｏｎ０Ｈａ未満であり、
第１期間Ｗ１の使用後の各圧力スイッチの第１動作圧力Ｐｏｎ１を測定し、
前記第１規格圧力下限値Ｐｏｎ０Ｌａを超える第３規格範囲の規格圧力下限値Ｐｏｎ１Ｌａを選別圧力として設定し、
この第１期間Ｗ１の使用後の圧力スイッチのうち、測定された第１動作圧力Ｐｏｎ１が、この選別圧力Ｐｏｎ１Ｌａ以上である圧力スイッチを、第１の期間Ｗ１の次に続く第２の期間Ｗ２、使用するために選別し、
この選別圧力Ｐｏｎ１Ｌａは、
第１期間Ｗ１の使用後の選別された圧力スイッチを、さらに次の第２の期間Ｗ２、使用した後の第１動作圧力Ｐｏｎ２が、第１規格範囲の規格外になる第２累積確率ｑｏｎ２Ｌが、基準累積確率ｑｏｎ０Ｌａ未満であって、かつ第１累積確率ｑｏｎ１Ｌとほぼ等しくなる値あるいはそれ未満の値に選ばれることを特徴とする。
【００１１】
また本発明は、圧力スイッチは、ガスメータに内蔵され、
このガスメータは、
ガスの流量を計測するメータ本体と、
ガスの供給を遮断する遮断弁と、
圧力スイッチの出力に応答し、メータ本体よりも下流側のガス圧力Ｐが、少なくとも第１規格範囲内の規格圧力下限値Ｐｏｎ０Ｌａ未満になったとき、遮断弁を閉じる制御手段とを含むことを特徴とする。
【００１２】
また本発明は、圧力スイッチは、メータ本体よりも下流側のガス圧力Ｐが、
少なくとも第２規格範囲内の規格圧力上限値Ｐｏｆｆ０Ｈａを超えたとき、前記一方のスイッチング状態に復帰することを特徴とする。
【００１３】
また本発明は、第１期間Ｗ１の使用後の全ての各圧力スイッチの第１または第２動作圧力Ｐｏｎ１，Ｐｏｆｆ１を測定するとともに、
第１期間Ｗ１の使用後の全ての圧力スイッチに、第２期間Ｗ２未満の期間で第２期間Ｗ２の使用による特性の劣化と等価な劣化をさせる促進劣化試験を、それぞれ行い、
促進劣化試験後の各圧力スイッチの第１または第２動作圧力Ｐｏｎ２，Ｐｏｆｆ２を測定し、
これらの測定結果Ｐｏｎ１，Ｐｏｆｆ１；Ｐｏｎ２，Ｐｏｆｆ２を演算して、第３または第４規格範囲を設定することを特徴とする。
【００１４】
また本発明は、第１期間Ｗ１の使用後の全ての各圧力スイッチの第１動作圧力Ｐｏｎ１を測定するとともに、
その第１期間Ｗ１の使用後の全ての各圧力スイッチに、第２期間Ｗ２未満の期間で第２期間Ｗ２の使用による特性の劣化と等価な劣化をさせる促進劣化試験をそれぞれ行い、
促進劣化試験後の全ての各圧力スイッチの第１動作圧力Ｐｏｎ２を測定し、
その促進劣化試験後の第１動作圧力Ｐｏｎ２Ｌが、複数ｋ種類の予め定める各選別圧力設定用下限値Ｐｏｎ２Ｌａｒ（ｒは１〜ｋの自然数）を有する各第３規格範囲に関して選別圧力設定用下限値Ｐｏｎ２Ｌａｒ未満になる累積確率ｑｏｎ２Ｌａｒを計算し、
こうして計算された複数ｋ種類の累積確率ｑｏｎ２Ｌａｒのうち、その第１累積確率ｑｏｎ１未満であって、その第１累積確率ｑｏｎ１Ｌに最も近似した値ｑｏｎ２Ｌａｓ（ｓは１〜ｋのうちの１つの自然数）に対応する選別圧力設定用下限値Ｐｏｎ２Ｌａｓを、前記選別圧力として設定することを特徴とする。
【００１５】
また本発明は、第２期間Ｗ２は、第１期間Ｗ１以下（Ｗ１≧Ｗ２）に選ばれることを特徴とする。
【００１６】
また本発明は、圧力スイッチが、ガスメータに内蔵され、
このガスメータは、
ガスの流量を計測するメータ本体と、
ガスの供給を遮断する遮断弁と、
圧力スイッチの出力に応答し、一方のスイッチング状態で遮断弁を開き、他方のスイッチング状態で遮断弁を閉じる制御手段とを含み、
圧力スイッチは、
メータ本体よりも下流側のガス圧力Ｐが、下降することによって、前記一方のスイッチング状態から前記他方のスイッチング状態に変化する第１動作圧力Ｐｏｎが、その第１動作圧力Ｐｏｎの第１設計規格値ＰｏｎＴが存在する未使用の予め定める規格圧力Ｐｏｎ０Ｌａ〜Ｐｏｎ０Ｈａによって規定される第１規格範囲から、予め定める第１の期間Ｗ１にわたる使用によって劣化して、規格外になる確率ｑｏｎ１Ｌ，ｑｏｎ１Ｈを有し、
メータ本体よりも下流側のガス圧力Ｐが、上昇することによって、前記他方のスイッチング状態から前記一方のスイッチング状態に変化する第２動作圧力Ｐｏｆｆが、その第２動作圧力Ｐｏｆｆの第２設計規格値ＰｏｆｆＴが存在する未使用の予め定める規格圧力Ｐｏｆｆ０Ｌａ〜Ｐｏｆｆ０Ｈａによって規定される第２規格範囲から、予め定める第１の期間Ｗ１にたわる使用によって劣化して、規格外になる確率ｑｏｆｆ１Ｌ，ｑｏｆｆ１Ｈを有し、
第１規格範囲は、第２規格範囲よりも低い圧力の範囲であり、
第１規格範囲の規格圧力下限値Ｐｏｎ０Ｌもしくは上限値Ｐｏｎ０Ｈまたは第２規格範囲の規格圧力下限値Ｐｏｆｆ０Ｌもしくは上限値Ｐｏｆｆ０Ｈに関して、規格外に存在する初期累積確率ｑｏｎ０Ｌ，ｑｏｎ０Ｈ；ｑｏｆｆ０Ｌ，ｑｏｆｆ０Ｈが、予め定める基準累積確率ｑｏｎ０Ｌａ，ｑｏｎ０Ｈａ；ｑｏｆｆ０Ｌａ，ｑｏｆｆ０Ｈａ未満（ｑｏｎ０Ｌ＜ｑｏｎ０Ｌａ，ｑｏｎ０Ｈ＜ｑｏｎ０Ｈａ；ｑｏｆｆ０Ｈ＜ｑｏｆｆ０Ｈａ，ｑｏｆｆ０Ｈ＜ｑｏｆｆ０Ｈａ）である未使用の複数の圧力スイッチを、
予め定める第１期間Ｗ１、使用し、
第１期間Ｗ１の使用後の全ての各圧力スイッチの第１または第２動作圧力Ｐｏｎ１，Ｐｏｆｆ１を測定し、
この第１期間Ｗ１の使用後の圧力スイッチのうち、
測定された第１動作圧力Ｐｏｎ１が、第１規格範囲よりも狭い第３規格範囲内にあるもの、または
測定された第２動作圧力Ｐｏｆｆ１が、第２規格範囲よりも狭い第４規格範囲内にあるものを、選別し、
この選別された圧力スイッチを、第１の期間Ｗ１の次に続く第２の期間Ｗ２、使用し、
この選別にあたり、
その第１期間Ｗ１の使用後に第１または第２規格範囲の規格外になる圧力スイッチの第１累積確率ｑｏｎ１Ｌ，ｑｏｎ１Ｈ；ｑｏｆｆ１Ｌ，ｑｏｆｆ１Ｈは、基準累積確率ｑｏｎ０Ｌａ，ｑｏｎ０Ｈａ；ｑｏｆｆ０Ｌａ，ｑｏｆｆ０Ｈａ未満（ｑｏｎ１Ｌ＜ｑｏｎ１Ｌａ，ｑｏｎ１Ｈ＜ｑｏｎ１Ｈａ；ｑｏｆｆ１Ｈ＜ｑｏｆｆ１Ｈａ，ｑｏｆｆ１Ｈ＜ｑｏｆｆ１Ｈａ）であり、
第１期間Ｗ１の使用後の全ての各圧力スイッチの第１および第２動作圧力Ｐｏｎ１，Ｐｏｆｆ１を測定するとともに、
その第１期間Ｗ１の使用後の全ての各圧力スイッチに、第２期間Ｗ２未満の期間で第２期間Ｗ２の使用による特性の劣化と等価な劣化をさせる促進劣化試験をそれぞれ行い、
促進劣化試験後の各圧力スイッチの第１および第２動作圧力Ｐｏｎ２，Ｐｏｆｆ２を測定し、
その促進劣化試験後の第１または第２動作圧力Ｐｏｎ２，Ｐｏｆｆ２が、複数ｋ種類の予め定める各選別圧力設定用下限値Ｐｏｎ２Ｌａｒ，Ｐｏｆｆ２Ｌａｒ（ｒは１〜ｋの自然数）または選別圧力設定用上限値Ｐｏｎ２Ｈａｒ，Ｐｏｆｆ２Ｈａｒを有する各第３または第４規格範囲に関して選別圧力設定用下限値Ｐｏｎ２Ｌａｒ，Ｐｏｆｆ２Ｌａｒ未満（Ｐｏｎ２＜Ｐｏｎ２Ｌａｒ，Ｐｏｆｆ２＜Ｐｏｆｆ２Ｌａｒ）の値または選別圧力設定用上限値Ｐｏｎ２Ｈａｒ，Ｐｏｆｆ２Ｈａｒを超える値（Ｐｏｎ２＞Ｐｏｎ２Ｈａｒ，Ｐｏｆｆ２＞Ｐｏｆｆ２Ｈａｒ）になる累積確率ｑｏｎ２Ｌａｒ，ｑｏｆｆ２Ｌａｒ；ｑｏｎ２Ｈａｒ，ｑｏｆｆ２Ｈａｒを計算し、
こうして計算された複数ｋ種類の累積確率ｑｏｎ２Ｌａｒ，ｑｏｆｆ２Ｌａｒ；ｑｏｎ２Ｈａｒ，ｑｏｆｆ２Ｈａｒのうち、その第１累積確率ｑｏｎ１Ｌ，ｑｏｎ１Ｈ；ｑｏｆｆ１Ｌ，ｑｏｆｆ１Ｈに最も近似した値ｑｏｎ２Ｌａｓ，ｑｏｎ２Ｈａｓ；ｑｏｆｆ２Ｌａｓ，ｑｏｆｆ２Ｈａｓ（ｓは１〜ｋのうちの１つの自然数）に対応する選別圧力設定用下限値Ｐｏｎ２Ｌａｓ，Ｐｏｆｆ２Ｌａｓまたは選別圧力設定用上限値Ｐｏｎ２Ｈａｓ，Ｐｏｆｆ２Ｈａｓを、前記選別圧力として設定し、
この第１期間Ｗ１の使用後の圧力スイッチのうち、測定された第１動作圧力Ｐｏｎ１，Ｐｏｆｆ１が、この選別圧力Ｐｏｎ２Ｌａｓ，Ｐｏｆｆ２Ｌａｓ以上、またはＰｏｎ２Ｈａｓ，Ｐｏｆｆ２Ｈａｓ以下である圧力スイッチを、第１の期間Ｗ１の次に続く第２の期間Ｗ２、使用するために選別することを特徴とする再使用可能な圧力スイッチの選別方法である。
【００１７】
本発明に従えば、流体、たとえば都市ガスなどのガスの流量を計測するガスメータに、圧力スイッチが内蔵され、ガスメータの下流側で大量のガス漏洩が生じ、これによってガスの圧力Ｐが低下し、典型的には、たとえば第１設計規格値ＰｏｎＴ未満になったとき、圧力スイッチのスイッチング状態が変化し、たとえばオンとなり、これによって遮断弁が閉じる。これによって下流側のガスの漏洩が継続することが防がれ、事故の発生を防ぐことができる。未使用の各圧力スイッチがたとえばオンになるオン圧の下限値は、第１規格範囲Ｐｏｎ０Ｌａ〜Ｐｏｎ０Ｈａ内に存在することが望まれ、第１規格圧力下限値Ｐｏｎ０Ｌａ未満の初期累積確率はｑｏｎ０Ｌである。すなわち未使用の圧力スイッチが、第１規格範囲Ｒ１の第１規格圧力下限値Ｐｏｎ０Ｌａに関して、規格外に存在する初期累積確率は、ｑｏｎ０Ｌであって、たとえば後述のようにｑｏｎ０Ｌ＝０．００１％である。この初期累積確率ｑｏｎ０Ｌは、予め定める基準累積確率ｑｏｎ０Ｌａ（後述のようにたとえばｑｏｎ０Ｌａ＝１．０％）未満である。このような第１規格圧力下限値Ｐｏｎ０Ｌａは、ガス消費機器の種火が立消えして生ガスが噴出する圧力を超える値に選ばれ、安全性が確保される。第１規格圧力下限値Ｐｏｎ０Ｌａは、たとえば２０ｍｍＨ2Ｏであってもよい。
【００１８】
たとえば１０年などの予め定める第１の期間Ｗ１、ガスメータ、したがって圧力スイッチが使用され、この検定満期後のガスメータを回収して、そのガスメータに搭載されている圧力スイッチを取外し、本発明に従って選別を行う。この選別の結果得られた圧力スイッチを、次の１０年などの第２の期間Ｗ２たとえばＷ１＝Ｗ２またはＷ１＜Ｗ２、再使用する。
【００１９】
このような第２の期間Ｗ２、再使用された圧力スイッチは、第１期間Ｗ１の検定満期後の圧力スイッチと同様に、オン圧の下限値が、第１規格圧力下限値Ｐｏｎ０Ｌａ以上の第１規格範囲の規格内に存在することが望まれる。そのためには、第１期間Ｗ１の使用後に第１規格範囲の規格外になる圧力スイッチの第１累積確率をｑｏｎ１Ｌとし、第１期間Ｗ１の使用後の選別された圧力スイッチをさらに次の第２期間Ｗ２、使用した後の第１規格範囲の規格外になる第２累積確率をｑｏｎ２Ｌａｒとするとき、第１および第２累積確率ｑｏｎ１Ｌ，ｑｏｎ２Ｌは、ほぼ等しい値であり、かつ基準累積確率ｑｏｎ０Ｌａ未満であるように、選別を行う。こうして第１および第２期間Ｗ１，Ｗ２のいずれにもわたって、使用される圧力スイッチは、全期間（＝Ｗ１＋Ｗ２）内で正常な動作を行う。
【００２０】
このようにして、一旦使用されて回収された圧力スイッチを、従来のように廃棄するのではなく、本発明では、選別した圧力スイッチを、再使用し、これによって資源の有効利用、コスト削減が図られ、好ましい。
【００２１】
上述の説明では、理解の便宜のために圧力スイッチのオン圧下限値について主として説明したけれども、本発明の考え方に従えば、流体の圧力Ｐが下降するとき、圧力スイッチには、一方のスイッチング状態（たとえばオフ状態）から他方のスイッチング状態（たとえばオン状態）に変化する第１動作圧力Ｐｏｎが、第１規格範囲から規格外になる確率は、使用による圧力スイッチの劣化によって、大きくなるように変化し、また同様に流体の圧力Ｐが上昇するとき、前記他方のスイッチング状態から前記一方のスイッチング状態に変化する第２動作圧力Ｐｏｆｆが、第２規格範囲Ｒ２から規格外になる確率は、使用による劣化によって、大きくなるように変化する。これらの第１および第２規格範囲Ｒ１，Ｒ２は、相互にずれており、たとえば第１規格範囲は、第２規格範囲よりも低い圧力の範囲である。圧力スイッチの第１および第２設計規格値ＰｏｎＴ，ＰｏｆｆＴは、第１および第２規格範囲内にそれぞれ存在する。
【００２２】
第１期間Ｗ１の使用による検定満期後に回収された圧力スイッチの第１または第２動作圧力Ｐｏｎ１，Ｐｏｆｆ１を測定し、この動作圧力Ｐｏｎ１，Ｐｏｆｆ１が、第１または第２規格範囲内であって、さらに狭い第３または第４規格範囲Ｒ３，Ｒ４内に存在する圧力スイッチだけを、次の第２期間Ｗ２において再使用するために選別する。
【００２３】
この選別にあたっては、第１期間Ｗ１の使用後の全ての圧力スイッチが第１または第２規格範囲外になる第１累積確率ｑｏｎ１Ｌと、第１期間Ｗ１の使用後に選別された圧力スイッチが、さらに次の第２の期間Ｗ２使用されることによって第１または第２規格範囲外になる第２累積確率ｑｏｎ２Ｌとがほぼ等しい値となるように（すなわちｑｏｎ０１Ｌ≒ｑｏｎ２Ｌとなるように）、前述の第３または第４規格範囲Ｒ３，Ｒ４が選ばれる。
【００２４】
このような第３または第４規格範囲を設定するにあたっては、第１期間Ｗ１の使用後の全ての各圧力スイッチの第１または第２動作圧力Ｐｏｎ１，Ｐｏｆｆ１と、この第１期間Ｗ１の使用後における全ての圧力スイッチに、第２期間に関する促進劣化試験を施した後における第１または第２動作圧力Ｐｏｎ２，Ｐｏｆｆ２とを演算して、設定することができる。
【００２５】
たとえば圧力スイッチが、ガス圧力の第１設計規格値ＰｏｎＴ未満でオンのスイッチング状態に変化するように設計された構成を有する場合、第１期間Ｗ１の使用後、Ｐｏｎ０Ｌ＜ＰｏｎＬａ≦Ｐｏｎ１であるＰｏｎ１を有する圧力スイッチのみを選別して再使用する。
【００２６】
本発明は、圧力スイッチの第１動作圧力Ｐｏｎ１だけでなく、その他、第２動作圧力Ｐｏｆｆ１Ｌの１または複数の組合わせに関連して本発明は実施されてもよい。
【００２７】
こうして検定満期後の回収された圧力スイッチの全てについて、第１または第２動作圧力Ｐｏｎ１，Ｐｏｆｆ１を測定し、これらの測定結果Ｐｏｎ１，Ｐｏｆｆ１が、第３または第４規格範囲内に存在する圧力スイッチだけを、次の第２期間Ｗ２の再使用のために選別する。
【００２８】
本発明は、ガスメータ以外の用途に用いられる圧力スイッチに関連してもまた、実施することができる。圧力スイッチは、圧力の低下時、上述のようにたとえばオフのスイッチング状態に変化する構成を有してもよく、さらにまたそのほかの動作を行う構成であってもよい。
【００２９】
本発明に従えば、第１期間Ｗ１の使用後に回収された検定満期後の圧力スイッチを選別する選別圧力を設定するには、後述されるように、第１期間Ｗ１の使用後の圧力スイッチのスイッチング状態が変化する第１動作圧力Ｐｏｎ１を測定するとともに、その回収した全数ｕの圧力スイッチに、第２期間Ｗ２のための促進劣化試験を行い、この促進劣化試験後の全ての各圧力スイッチの第１動作圧力Ｐｏｎ２を測定し、統計的処理による演算が行われる。
【００３０】
この統計的処理では、第１期間Ｗ１の使用後の圧力スイッチの全てについて、前述のように第１動作圧力Ｐｏｎ１をそれぞれ測定し、またこの使用後の圧力スイッチの全てについて促進劣化試験をそれぞれ行い、この促進劣化試験後の全ての圧力スイッチの第１動作圧力Ｐｏｎ２を測定する。その促進劣化試験後の圧力スイッチの第１動作圧力Ｐｏｎ２が、複数ｋ種類の各選別圧力設定用下限値ＰｏｎＬａｒ（ただしｒは１〜ｋの自然数）を有する各第３規格範囲に関して、その選別圧力設定用下限値Ｐｏｎ２Ｌａｒ未満になる累積確率ｑｏｎ２Ｌａｒを計算する。すなわち促進劣化試験後の第１動作圧力Ｐｏｎ２が、各種類ｒ毎の選別圧力設定用下限値Ｐｏｎ２Ｌａｒ未満である第３規格範囲の規格外にある個数ｗを求めて、累積確率ｑ２ｒ（＝ｗ／ｕ）を計算する。
【００３１】
ここでｕは、前述のように第１期間Ｗ１の使用後の圧力スイッチの全数であり、たとえば後述の実施の形態ではｕ＝６５０個である。ｗ≦ｕである。選別圧力設定用下限値Ｐｏｎ２Ｌａｒは、たとえば後述の実施の形態では、各圧力２１，２２，２３，２４および２５ｍｍＨ2Ｏであり（ｋ＝５の場合）、さらに第１規格圧力下限値Ｐｏｎ０Ｌと等しい圧力２０ｍｍＨ2Ｏも含まれていてもよい。
【００３２】
たとえば圧力低下によってオンとなる圧力スイッチが使用される場合、第１期間Ｗ１の使用後の全数ｕ（たとえば前述のように６５０）の圧力スイッチに、促進劣化試験をそれぞれ施し、その促進劣化試験後の全ての各圧力スイッチの第１動作圧力Ｐｏｎ２を測定する。複数ｋ種類の各選別圧力設定用下限値Ｐｏｎ２Ｌａｒ毎に、Ｐｏｎ２≦Ｐｏｎ２Ｌａｒである圧力スイッチの個数ｗを求めて、累積確率ｑｏｎ２Ｌａｒ（＝ｗ／ｕ）を演算する。
【００３３】
こうして計算された複数ｋの第２累積確率ｑｏｎ２Ｌａｒのうち、第１累積確率ｑｏｎ１Ｌ未満であって、その第１累積確率ｑｏｎ１Ｌに最も近似した値ｑｏｎ２Ｌａｓ（ｓは、１〜ｋのうちの１つの自然数）を、選別圧力として設定する。
【００３４】
第２期間Ｗ２は、前述の第１期間Ｗ１以下（Ｗ１≧Ｗ２）に選ばれてもよく、第１期間Ｗ１は、たとえば１０年であってもよく、第２期間Ｗ２は、たとえば１０年であってもよい。第２期間Ｗ２は、第１期間Ｗ１を超える値であってもよい。上述の構成において、Ｗ２＜Ｗ１であってもよい。
【００３５】
また本発明は、流体の圧力Ｐが下降することによって、一方のスイッチング状態から他方のスイッチング状態に変化する第１動作圧力Ｐｏｎが、その第１動作圧力Ｐｏｎの第１設計規格値ＰｏｎＴが存在する未使用の予め定める規格圧力Ｐｏｎ０Ｌａ〜Ｐｏｎ０Ｈａによって規定される第１規格範囲から、予め定める第１の期間Ｗ１にわたる使用によって劣化して、規格外になる確率ｑｏｎ１Ｌ，ｑｏｎ１Ｈを有し、
流体の圧力Ｐが上昇することによって、
前記他方のスイッチング状態から前記一方のスイッチング状態に変化する第２動作圧力Ｐｏｆｆが、その第２動作圧力Ｐｏｆｆの第２設計規格値ＰｏｆｆＴが存在する未使用の予め定める規格圧力Ｐｏｆｆ０Ｌａ〜Ｐｏｆｆ０Ｈａによって規定される第２規格範囲から、予め定める第１の期間Ｗ１にわたる使用によって劣化して、規格外になる確率ｑｏｆｆ１Ｌ，ｑｏｆｆ１Ｈを有し、
第１および第２規格範囲は、相互にずれている圧力スイッチを使用し、
第２期間Ｗ２は、第１期間Ｗ１未満（Ｗ１＞Ｗ２）に選ばれ、
未使用の複数の圧力スイッチを、第２期間Ｗ２と等しい使用期間Ｗ３、使用した後、第１または第２動作圧力Ｐｏｎ３，Ｐｏｆｆ３を測定し、
その使用期間Ｗ３の使用後に測定された第１または第２動作圧力Ｐｏｎ３，Ｐｏｆｆ３に基づき、第１または第２規格範囲から、規格外になる圧力スイッチの中間使用後累積確率ｑｏｎ３Ｌ，ｑｏｎ３Ｈ；ｑｏｆｆ３Ｌ，ｑｏｆｆ３Ｈを計算し、
第１期間Ｗ１の使用後の各圧力スイッチの第１または第２動作圧力Ｐｏｎ１，Ｐｏｆｆ１を測定し、
この第１期間Ｗ１の使用後の圧力スイッチのうち、
測定された第１動作圧力Ｐｏｎ１が、第１規格範囲よりも狭い第３規格範囲内にあるもの、または
測定された第２動作圧力Ｐｏｆｆ１が、第２規格範囲よりも狭い第４規格範囲内にあるものを、選別し、
こうして選別された圧力スイッチを、さらに次の第２の期間Ｗ２、使用し、
この選別にあたり、
第１期間Ｗ１の使用後の全ての各圧力スイッチに、第２期間Ｗ２未満で第２期間Ｗ２の使用による特性の劣化と等価な劣化をさせる促進劣化試験を、それぞれ行い、
促進劣化試験後の各圧力スイッチの第１または第２動作圧力Ｐｏｎ２，Ｐｏｆｆ２を測定し、
促進劣化試験後の各圧力スイッチの測定された第１または第２動作圧力Ｐｏｎ２，Ｐｏｆｆ２が、
複数ｋ種類の予め定める第３または第４規格範囲の規格外になる累積確率ｑｏｎ２Ｌａｒ，ｑｏｆｆ２Ｌａｒ；ｑｏｎ２Ｈａｒ，ｑｏｆｆ２Ｈａｒ（ｒは１〜ｋの自然数）を計算し、
こうして計算された複数ｋ種類の累積確率ｑｏｎ２Ｌａｒ，ｑｏｆｆ２Ｌａｒ；ｑｏｎ２Ｈａｒ，ｑｏｆｆ２Ｈａｒのうち、その中間使用後累積確率ｑｏｎ３Ｌ，ｑｏｎ３Ｈ；ｑｏｆｆ３Ｌ，ｑｏｆｆ３Ｈに最も近似した値ｑｏｎ２Ｌａｓ，ｑｏｎ２Ｈａｓ；ｑｏｆｆ２Ｌａｓ，ｑｏｆｆ２Ｈａｓ（ｓは１〜ｋのうちの１つの自然数）に対応する選別圧力設定用下限値Ｐｏｎ２Ｌａｓ，Ｐｏｆｆ２Ｌａｓまたは選別圧力設定用上限値Ｐｏｎ２Ｈａｓ，Ｐｏｆｆ２Ｈａｓを、前記選別圧力として設定し、
この第１期間Ｗ１の使用後の圧力スイッチのうち、測定された第１動作圧力Ｐｏｎ１，Ｐｏｆｆ１が、この選別圧力Ｐｏｎ２Ｌａｓ，Ｐｏｆｆ２Ｌａｓ以上、またはＰｏｎ２Ｈａｓ，Ｐｏｆｆ２Ｈａｓ以下である圧力スイッチを、第１の期間Ｗ１の次に続く第２の期間Ｗ２、使用するために選別することを特徴とする再使用可能な圧力スイッチの選別方法である。
【００３６】
また本発明は、圧力スイッチは、ガスメータに内蔵され、
このガスメータは、
ガスの流量を計測するメータ本体と、
ガスの供給を遮断する遮断弁と、
圧力スイッチの出力に応答し、メータ本体よりも下流側のガス圧力Ｐが、少なくとも第１規格範囲内の規格圧力下限値Ｐｏｎ０Ｌａ未満になったとき、遮断弁を閉じる制御手段とを含むことを特徴とする。
【００３７】
本発明に従えば、第２期間Ｗ２は、第１期間Ｗ１未満であり（Ｗ２＜Ｗ１）、たとえば第１期間Ｗ１は１０年であり、第２期間Ｗ２は５年であってもよく、第１期間Ｗ１にわたる圧力スイッチの使用の途中で、第２期間Ｗ２と等しい使用期間Ｗ３（＝Ｗ２）、経過した時点で、後述の表５のように、全数ｕの各圧力スイッチのオン圧などの第１動作圧力Ｐｏｎ３をそれぞれ測定し、この使用期間Ｗ３の使用後に、規格圧力Ｐｏｎ０Ｌの規格外になる中間使用後、累積確率ｑ３を演算して求める。たとえば圧力スイッチが、圧力低下時オンとなる圧力スイッチである場合、Ｐｏｎ３≦Ｐｏｎ０Ｌである個数ｅを求めて、中間使用後累積確率ｑ３＝ｅ／ｕを演算する。
【００３８】
さらに圧力スイッチを使用し、第１期間Ｗ１の使用後の全数ｕの圧力スイッチについて、第１動作圧力Ｐｏｎ１をそれぞれ測定し、またこの使用後の圧力スイッチの全数ｕについて第２期間Ｗ２の促進劣化試験を施す。
【００３９】
この促進劣化試験後の各圧力スイッチの第１動作圧力Ｐｏｎ２を測定する。第１期間Ｗ１の使用後の全数ｕの圧力スイッチに関して、この圧力スイッチが、たとえばガス圧力低下時オンになる構成を有する場合、促進劣化試験後の圧力スイッチの第１動作圧力Ｐｏｎ２に関して、規格外、すなわちＰｏｎ２≦ＰｏｎＬａｒである個数ｆを求めて、累積確率ｑ２ｒ（＝ｆ／ｕ）を演算する。こうして計算された複数ｋの累積確率ｑ２ｒのうち、前述の第１累積確率ｑ１未満であって、その第１累積確率ｑ１に最も近似した値ｑ２ｓに対応する選別圧力設定を下限値Ｐｏｎ１Ｌｊを、選別圧力として設定する。
【００４０】
こうして得られた選別圧力の規格内における圧力スイッチを、第１期間Ｗ１の使用後の圧力スイッチの中から、選別し、次の後続する第２期間Ｗ２において再使用する。これによって第２期間Ｗ２使用後の圧力スイッチの第１動作圧力が、第１規格範囲の規格内に存在する累積確率を、第１累積確率ｑ１未満にすることができるようになる。
【００４１】
また本発明は、促進劣化試験は、複数ｄ種類の各試験項目毎に行い、
促進劣化試験後の各圧力スイッチの第１または第２動作圧力Ｐｏｎ２，Ｐｏｆｆ２が、第１または第２規格範囲から規格外になる複数ｄ種類の全ての試験項目にわたる累積確率ｑｏｎ２Ｌａｒ，ｑｏｎ２Ｈａｒ；ｑｏｆｆ２Ｌａｒ，ｑｏｆｆ２Ｈａｒを求め、
これらの累積確率ｑｏｎ２Ｌａｒ，ｑｏｎ２Ｈａｒ；ｑｏｆｆ２Ｌａｒ，ｑｏｆｆ２Ｈａｒを、前記第２累積確率ｑｏｎ２Ｌ，ｑｏｎ２Ｈ；ｑｏｆｆ２Ｌ，ｑｏｆｆ２Ｈとして用いることを特徴とする。
【００４２】
本発明に従えば、後述の図面を参照して行う実施の形態のように、表２の複数ｄ種類の各試験項目毎に促進劣化試験を行い、これらの複数ｄ種類の全ての試験項目にわたる累積確率ｑｏｎ２Ｌａｒ，ｑｏｎ２Ｈａｒ；ｑｏｆｆ２Ｌａｒ，ｑｏｆｆ２Ｈａｒを求めて、前述の第２累積確率ｑｏｎ２Ｌ，ｑｏｎ２Ｈ；ｑｏｆｆ２Ｌ，ｑｏｆｆ２Ｈとして用いる。
【００４３】
また本発明は、促進劣化試験は、複数ｄ種類の各試験項目毎に行い、
促進劣化試験後の各圧力スイッチの第１または第２動作圧力Ｐｏｎ２，Ｐｏｆｆ２が、第１または第２規格範囲から規格外になる複数ｄ種類の各試験項目毎の個別累積確率ｑｏｎ２Ｌｅ，ｑｏｎ２Ｈｅ；ｑｏｆｆ２Ｌｅ，ｑｏｆｆ２Ｈｅ（ｅは１〜ｄのうちの１つの自然数）を求め、
これらの個別累積確率の全ての種類の試験項目にわたる平均値ｑｍを演算し、この平均値ｑｍを、前記第２累積確率ｑｏｎ２Ｌ，ｑｏｎ２Ｈ；ｑｏｆｆ２Ｌ，ｑｏｆｆ２Ｈとして用いることを特徴とする。
【００４４】
本発明に従えば、後述の表２のように複数ｄ種類の各試験項目毎に促進劣化試験を行い、各試験項目毎の個別累積確率ｑｏｎ２Ｌｅ，ｑｏｎ２Ｈｅ，ｑｏｆｆ２Ｌｅ，ｑｏｆｆ２Ｈｅ（ｅは１〜ｄのうちの１つの自然数）を求める。これらの個別累積確率の全ての種類の試験項目にわたる平均値ｑｍを演算する。この平均値ｑｍは、平均累積確率と呼ぶことができる。この平均累積確率ｑｍを、前述の第２累積確率ｑｏｎ２Ｌ，ｑｏｎ２Ｈ；ｑｏｆｆ２Ｌ，ｑｏｆｆ２Ｈとして用いる。
【００４５】
また本発明は、使用によって劣化して、電気的動作状態が変化する物理量Ｐが、予め定める規格範囲から規格外になる部品であって、
規格外に存在する初期累積確率ｑｏｎ０Ｌが、予め定める基準累積確率ｑｏｎ０Ｌａ未満である未使用の複数の部品を、
予め定める第１の期間Ｗ１、使用することによって、
その第１期間Ｗ１の使用後に規格外になる部品の第１累積確率ｑｏｎ１Ｌは、基準累積確率ｑｏｎ０Ｌａ未満であり、
第１期間Ｗ１の使用後の部品の物理量Ｐｏｎ１を測定し、
この第１期間Ｗ１の使用後の圧力スイッチのうち、測定された物理量Ｐｏｎ１が、前記規格範囲の規格内にある予め定める選別物理量Ｐｏｎ２Ｌａｓよりも、規格範囲に関して、もっと規格内に存在する部品を、第１の期間Ｗ１の次に続く第２の期間Ｗ２、使用するために選別し、
この選別物理量Ｐｏｎ２Ｌａｓは、
第１期間Ｗ１の使用後の選別された部品をさらに次の第２期間Ｗ２、使用した後、前記規格範囲から規格外になる第２累積確率ｑｏｎ２Ｌａｒが、第１累積確率ｑｏｎ１Ｌ未満である値に選ばれることを特徴とする再使用可能な部品の選別方法である。
【００４６】
本発明に従えば、圧力スイッチだけでなくそのほかの部品、たとえば遮断弁などの部品に関しても、本発明が実施されることができる。この遮断弁は、たとえばガスメータにおいて用いられ、コイルが非励磁で、永久磁石片の磁力によって弁体をばねのばね力に抗して磁気吸着状態にして弁座から離間し、こうして開弁状態に保ち、コイルの励磁によって永久磁石片による弁体の磁気吸着状態を解除し、ばねのばね力によって弁体を弁座に着座させて閉弁状態とする。この遮断弁が開弁状態から閉弁状態に変化するために必要な励磁電流を、前述の圧力スイッチの動作圧力Ｐに代えて、前述と同様に再使用可能な遮断弁の選別を行うために本発明を実施してもよい。
【００４７】
本発明はさらに、圧力スイッチ、遮断弁だけでなく、そのほかの部品に関してもまた、実施することができる。
【００４８】
【発明の実施の形態】
図１は、圧力スイッチ２１（後述の図２参照）の特性を示すグラフである。ライン２２は、ガスの圧力Ｐの下降時、スイッチング状態がオフからオンに変化するオン圧と呼ぶことができる動作圧力Ｐの確率の分布を示す。ライン２３は、ガスの圧力Ｐの上昇時、スイッチング状態がオンからオフに変化するオフ圧と呼ぶことができる動作圧力Ｐの確率の分布を示す。圧力スイッチ２１の製造後の未使用の圧力スイッチ２１は動作圧力は、前述のライン２２で示され、このような未使用の圧力スイッチ２１が、圧力下降時、オンのスイッチング状態になる動作圧力Ｐｏｎが、第１規格範囲Ｒ１から規格外になる確率は、ごく小さい。この圧力スイッチ２１の圧力上昇時、オフのスイッチング状態になる動作圧力Ｐｏｆｆが、第２規格範囲Ｒ２から規格外になる確率は、ごく小さい。これらの確率は、圧力スイッチ２１の使用による劣化によって、規格外になる確率が大きくなるように変化する。第１および第２規格範囲Ｒ１，Ｒ２は相互にずれており、第１規格範囲Ｒ１は、第２規格範囲Ｒ２よりも低い圧力の範囲である。
【００４９】
図２は圧力スイッチ２１のオン圧の特性を示すライン２２，２４を拡大して示すグラフであり、図３は圧力スイッチ２１のオフ圧の特性を示すライン２３，２５を拡大して示すグラフである。図２に示されるように、圧力スイッチ２１では、下流側における大量のガス漏洩によってガスの圧力が大きく低下したとき、スイッチング状態がオンになることを確実にして安全を図るために特に、圧力スイッチ２１の動作圧力Ｐｏｎが、オン圧下限値である規格範囲Ｒ１の規格外になることを防ぎ、設計規格の範囲Ｒ１内に確実に存在しなければならない。未使用の圧力スイッチ２１を、予め定める第１の期間Ｗ１、使用することによって、その動作圧力Ｐｏｎの確率は、ライン２４で示されるようになり、このとき規格範囲Ｒ１の規格外になる確率が、未使用の圧力スイッチ２１のライン２２に比べて高くなる。この第１期間Ｗ１の使用後における検定満期後の回収された圧力スイッチ２１は、規格範囲Ｒ１の規格外では、実用上許容される予め定める累積確率ｑｏｎ０１Ｌａ未満である累積確率ｑｏｎ１Ｌとなる。このような第１期間Ｗ１の使用後の全数ｕの圧力スイッチ２１を、そのまま、さらに次の後続する第２期間Ｗ２、再使用した場合、その第２期間Ｗ２後に回収された圧力スイッチ２１の確率は、ライン２６で示されるとおりとなり、規格範囲Ｒ１の規格外となる累積確率ｑｏｎ２Ｌは、第１累積確率ｑｏｎ１Ｌを超える値になってしまう。
【００５０】
そこで本発明に従えば、第１期間Ｗ１の使用後の検定満期後の回収した圧力スイッチ２１のうち、その動作圧力Ｐｏｎ１を測定し、この測定された動作圧力Ｐｏｎ１を、規格範囲Ｒ３の予め定める選別圧力Ｐｏｎ２Ｌａｓと比較して検満回収した圧力スイッチ２１を選別する。こうして回収された合計ｕ個の圧力スイッチ２１のうち、選別圧力Ｐｏｎ２Ｌａｓと比較することによって選別されたｒ個（ｒ≦ｕ）の圧力スイッチを、次の第２期間Ｗ２、使用したときに、規格範囲Ｒ１の規格外になる累積確率ｑｏｎを、第１累積確率ｑｏｎ１Ｌとほぼ等しいかまたは未満とすることができる。
【００５１】
選別圧力Ｐｏｎ２Ｌａｓを、規格範囲Ｒ１において、規格圧力Ｐｏｎ０Ｌａを超える充分に高い圧力に設定すれば、第１期間Ｗ１の使用後の圧力スイッチ２１のうち、廃棄される数が増加し、その結果、省資源の観点から好ましくなく、またコスト削減が劣る。そこで本発明では、この選別圧力Ｐｏｎ２Ｌａｓを、規格圧力Ｐｏｎ０Ｌａ以上であって、規格圧力Ｐｏｎ０Ｌａに近似し、しかも第１期間Ｗ１の使用後の全数ｕの圧力スイッチ２１が規格範囲Ｒ１の規格外になる第２累積確率ｑｏｎ１Ｌに近似した値に、統計処理によって設定する。
【００５２】
第１期間Ｗ１の使用後の全数ｕの圧力スイッチ２１に、促進劣化試験をそれぞれ行った後における動作圧力Ｐｏｎの確率は、図１のライン２６と同様である。この促進劣化試験は、第２期間Ｗ２の使用による圧力スイッチ２１の特性の劣化と等価な劣化を、第２期間Ｗ２未満の期間で促進して行う試験である。第１および第２期間Ｗ１，Ｗ２は、たとえば１０年であってもよい。促進劣化試験は、たとえば１日〜１週間で達成することができる。
【００５３】
規格範囲Ｒ３は、第１期間Ｗ１の使用後の圧力スイッチを、選別圧力Ｐｏｎ２Ｌａｓによって選別し、その後、促進劣化試験を行って得られた動作圧力Ｐの確率を示す。この規格範囲Ｒ３は、選別圧力Ｐｏｎ２Ｌａｓを適切に選ぶことによって、その累積確率ｑｏｎ１Ｌａｓが、ライン２４で示される第１期間Ｗ１の使用後の全数ｕの圧力スイッチ２１の規格範囲Ｒ１に関する累積確率ｑｏｎ１Ｌに近似した値となり、しかも規格範囲Ｒ１内にあり、第１累積確率ｑｏｎ１Ｌに近似した値となる特定を示す。
【００５４】
図３に示される圧力スイッチ２１のオフ圧Ｐｏｆｆに関して、規格範囲Ｒ２内に存在する規格範囲Ｒ４は、前述の図２の規格範囲Ｒ３と同様に設定され、上限値および下限値について、参照符Ｌ，Ｈを用いて、前述の説明と同様に示す。
【００５５】
図４は、圧力スイッチ２１の縦断面図である。都市ガスなどのガスの圧力が参照符３１で示されるように作用するとき、ハウジング３２に固定されたダイヤフラム３３が、図４の上方に弾発的に変位する。ダイヤフラム３３は、たとえばステンレス鋼などの材料から成ってもよい。ダイヤフラム３３には、合成樹脂などの材料から成るプランジャ３４の基端部が固定される。プランジャ３４の遊端部は、弾発性を有する可動接点３５を、上昇させ、これによって可動接点３５は、正常なガス圧力の得られている状態では、ハウジング３２に固定されている固定接点３６から離間している。これらの可動接点３５と固定接点３６には、ハウジング３２に取付けられる端子３７，３８が接続される。ダイヤフラム３３およびプランジャ３４の変位は、ガスの圧力に対応する。ガスの圧力が低下すると、ダイヤフラム３３およびプランジャ３４が図４の下方に変位する。
【００５６】
大量のガス漏洩が発生し、ガスの圧力が大きく低下すると、ダイヤフラム３３およびプランジャ３４が下降して動作圧力Ｐになると、可動接点３５は、固定接点３６に導通してオンのスイッチング状態となる。
【００５７】
圧力スイッチ２１の長期間の使用によって、ダイヤフラム３３が腐食し、またプランジャ３４が変形し、さらにこのプランジャ３４が上下に変位される案内孔３９との摩擦力が変化し、さらに可動接点３５が変形することがある。このような圧力スイッチ２１の使用によって、動作圧力Ｐが変化し、規格範囲Ｒ１の規格外になる。
【００５８】
図５は圧力スイッチ２１を備えるガスメータ４１の一部を切欠いて示す断面図であり、図６は図４に示されるガスメータ４１の構成を簡略化して示すブロック図である。メータ本体４２は、入口４３からのガスの流量を計測し、出口４６に導く。メータ本体４２と出口４６との間の管路の途中には、遮断弁４４が設けられ、さらにその下流側に圧力スイッチ２１が設けられる。圧力スイッチ２１の前述の可動接点３５と固定接点３６とがオフである状態では、制御回路４５は遮断弁４４を開弁状態に保つ。大量のガス漏洩が生じて出口４６側のガスの圧力が低下した動作圧力Ｐでは、圧力スイッチ２１がオンとなり、制御回路４５は、遮断弁４４を閉弁状態とし、さらに大量のガス漏洩が継続することを防いで安全を確保する。
【００５９】
図７は、未使用の圧力スイッチ２１のスイッチング状態がオンになる動作圧力Ｐの累積確率を示すグラフである。未使用の圧力スイッチ２１では、規格圧力Ｐｏｎ０Ｌａ未満の規格外に存在する累積確率はｑｏｎ０Ｌであって、予め定める第１累積確率ｑｏｎ１Ｌ未満である。たとえばｑｏｎ０Ｌ＝０．００１％、ｑｏｎ１Ｌ＝１．０％であってもよい。このような圧力スイッチ２１の動作圧力Ｐｏｎの測定値の累積確率は、本件発明者の実験によれば、正規分布、対数正規分布、ガンベル分布、ワイブル分布など各種統計分布のうち、対数正規分布が最も近似できる分布関数であることが確認された。
【００６０】
図８は、第１期間Ｗ１使用後の圧力スイッチ２１の動作圧力Ｐｏｎの累積確率を示すグラフである。この第１期間Ｗ１使用後の検定満期回収された圧力スイッチ２１の累積確率は、図８のライン２４で示される。このような第１期間Ｗ１、圧力スイッチ２１が使用されることによって、その第１期間Ｗ１の使用後に動作圧力Ｐｏｎが規格圧力Ｐｏｎ０Ｌａ未満である規格外になる圧力スイッチ２１の累積確率は、ｑｏｎ１Ｌである。この累積確率ｑｏｎ１Ｌは、前述の累積確率ｑｏｎ０Ｌａ未満である。
【００６１】
図９は、圧力スイッチ２１のオン圧下限値Ｐｏｎ０Ｌａである動作圧力Ｐｏｎの規格外の累積確率ｑｏｎ１Ｌを示すグラフである。本発明の実施の一形態では、累積確率ｑｏｎ１Ｌを計算するために、１００個の未使用ガスメータ４１の未使用圧力スイッチ２１を用いた。第１期間Ｗ１の使用後のガスメータから取外して回収された圧力スイッチ２１の全数ｕは、たとえば６５０個である。
【００６２】
図１０は、第１期間Ｗ１の使用後に回収された圧力スイッチ２１を選別して、次に続く第２期間Ｗ２、再使用するために選別する方法を示す図である。ステップａ１において第１期間Ｗ１の使用後の全数ｕの圧力スイッチ２１の性能評価試験を実施し、そのオン圧下限の動作圧力Ｐｏｎ１（ｋ）を演算して表１のようにメモリにストアしておく。ここでｕ＝６５０であり、ｋは１〜６５０の値である。
【００６３】
【表１】
0003779920.tif 000002
【００６４】
ステップａ２では、動作圧力Ｐｏｎ１（ｋ）が、規格範囲Ｒ１内で、もっと規格内の範囲Ｒ３に存在する圧力スイッチ２１を、第２期間Ｗ２において再使用するために、選別圧力Ｐｏｎ２Ｌａｓを基準として、選別する。こうして選別された圧力スイッチ２１を、ガスメータに組込んで、再使用する。すなわち本発明の実施の形態では、ガスの圧力の低下時、オンになる圧力スイッチ２１において、動作圧力Ｐｏｎ１（ｋ）が、Ｐｏｎ２Ｌａｓ≦Ｐｏｎ１（ｋ）≦Ｐｏｎ２Ｈａｓである圧力スイッチ２１を選別する。こうして選別された圧力スイッチ２１が、第２期間Ｗ２、使用された後、範囲Ｒ１の規格外になる累積確率ｑｏｎ２Ｌは、累積確率ｑｏｎ０Ｌａ未満であり、累積確率ｑｏｎ１Ｌに近い値であってもよい。上述の説明は主として、オン圧Ｐｏｎに関して説明を行ったけれども、オフ圧Ｐｏｆｆに関しても同様である。
【００６５】
図１１は、図１０のさらに具体的な工程を示すフローチャートである。ステップｃ２における第１期間Ｗ１の使用後の圧力スイッチ２１のオン圧Ｐｏｎ１とオフ圧Ｐｏｆｆ１とを、ステップｃ３において測定する。この測定したオン圧Ｐｏｎ１に関して、上述の範囲の圧力スイッチ２１を選別し、またオフ圧Ｐｏｆｆ１に関して、Ｐｏｆｆ２Ｌａｓ≦Ｐｏｆｆ１≦Ｐｏｆｆ２Ｈａｓである圧力スイッチ２１を選別する。このようなオン圧Ｐｏｎ１および／またはＰｏｆｆ１に関する選別を行った圧力スイッチ２１を、次の第２期間Ｗ２、使用する。
【００６６】
図１２は、選別圧力Ｐｏｎ２Ｌａｓを設定するための方法を説明するための図である。ステップｂ２における第１期間Ｗ１の使用後の全数ｕの圧力スイッチ２１について、ステップｂ３で性能評価試験を実施し、動作圧力Ｐｏｎ１（ｋ）を得る。この動作圧力Ｐｏｎ１（ｋ）は、図１１のステップｃ３において得た値である。
【００６７】
このステップｂ３では、前述のステップｂ２での使用後の性能評価試験のデータのばらつきを近似できる最適な分布関数を求め、さらに次のステップｂ３では、ステップｂ２で求めた分布関数から、回収品、すなわち第１期間Ｗ１の使用後のガスメータ４１の圧力スイッチ２１の設計規格値外の累積確率ｑｏｎ１を算出する。
【００６８】
ステップｂ４では、この回収品である第１期間Ｗ１の使用後の圧力スイッチ２１に対して、再使用期間である第２期間Ｗ２に相当する促進劣化試験を実施する。この促進劣化試験の試験項目は、複数ｄであり、たとえば表２に示されるように合計１３項目あり（ｄ＝１３）、各項目毎に回収品の圧力スイッチ２１を５０個ずつ、分けて割当てて、試験を実行する。各試験項目Ｎｏ．１〜１３は、第２期間Ｗ２の使用に相当する劣化を達成する。
【００６９】
【表２】
0003779920.tif 000003
【００７０】
【表３】
0003779920.tif 000004
【００７１】
この促進劣化試験後に、ステップｂ５では、全数ｕの圧力スイッチ２１に、前述と同様な性能評価試験を実施し、動作圧力Ｐｏｎ２を得る。この動作圧力Ｐｏｎ２のばらつきのデータから設計規格値外の累積確率を演算して算出する。
【００７２】
ステップｂ６では、全ての各試験項目Ｎｏ．１〜１３にわたる促進劣化試験後の全数ｕの圧力スイッチのオン圧Ｐｏｎ２を用いて、複数ｋ（たとえばｋ＝５）種類の予め定める各設定圧力Ｐｏｎ２Ｌａｒ（ｒは１〜ｋの各自然数）に関して、
Ｐｏｎ２Ｌａｒ≦Ｐｏｎ２（ｋ）                        …（１）
である第１期間Ｗ１の使用後の回収された圧力スイッチ２１のデータを抽出する。式１が成立する圧力スイッチ２１の個数は、合計ｗ個であるものとする。Ｐｏｎ２Ｌａｒは、たとえば圧力２１，２２，２３，２４および２５ｍｍＨ2Ｏであってもよく、さらに２０ｍｍＨ2Ｏを含んでもよい。
【００７３】
【表４】
0003779920.tif 000005
【００７４】
こうして複数ｋ種類の各設定圧力Ｐｏｎ２Ｌａｒの規格外にある圧力スイッチ２１、すなわち式１を満たさない圧力スイッチ２１を、抽出し、複数ｋの各種類の各設定圧力Ｐｏｎ２Ｌａｒ毎に関して、複数ｄ（たとえば前述のように１３）の各試験項目毎に促進劣化試験を行った圧力スイッチ２１の個数ｗｇ（ｇは１〜ｄの自然数、ｄはたとえば前述のように１３）の和ｗを求める。本件発明者の実験によれば、たとえば或る１つのｒに関して、ｗ＝ｗ１＋ｗ２＋…ｗｄ＝６０９個である。
【００７５】
設定圧力Ｐｏｎ２Ｌａｒの各種類ｋ毎に、ステップｂ６では、累積確率ｑｏｎ２Ｌａｒを演算して求める。
ｑｏｎ２Ｌａｒ＝ｗ／ｕ                                …（２）
【００７６】
図１２のステップｂ７では、表４から、第１期間Ｗ１の使用後の回収された圧力スイッチ２１の累積確率ｑｏｎ１Ｌと、促進劣化試験後の式２で得られる各種類ｋ毎の設計規格値外の累積確率ｑｏｎ２Ｌａｒのうち、第１累積確率ｑｏｎ１Ｌ未満であって、その第１累積確率ｑｏｎ１Ｌに最も近似した値ｑｏｎ２Ｌａｓに対応する設定圧力Ｐｏｎ２Ｌａｓを選び、前記選別圧力として設定する。ｓは１〜ｋのうちの１つの自然数である。
【００７７】
表４から、累積確率ｑｏｎ２Ｌａｓのうち、第１累積確率ｑｏｎ１Ｌ未満であって、その第１累積確率ｑｏｎ１Ｌに最も近似した値ｑｏｎ２Ｌａｓは、０．９％であって、そのときの設定圧力はＰｏｎ２Ｌａｓ＝２３ｍｍＨ2Ｏであることが判る。この設定圧力２３ｍｍＨ2Ｏを、選別圧力として設定する。上述の説明では、主としてオン圧Ｐｏｎ１，Ｐｏｎ２に関して説明を行ったけれども、その上限値Ｐｏｎ２Ｈａｒの累積確率ｑｏｎ２Ｈａｒをステップｂ６において求め、さらに同様にしてオフ圧Ｐｏｆｆ２に関して、Ｐｏｆｆ２Ｌａｒの累積確率ｑｏｆｆ２Ｈａｒ、および／またはＰｏｆｆ２Ｈａｒの累積確率ｑｏｆｆ２Ｈａｒを計算し、次のステップｂ７では、前述と同様にして累積確率ｑｏｎ１Ｈ，ｑｏｆｆ１Ｌ，ｑｏｆｆ１Ｈに最も近似した累積確率ｑｏｎ２Ｈａｓ，ｑｏｆｆ２Ｌａｓ，ｑｏｆｆ２Ｈａｓを見つける。その後、ステップｂ８で、ステップｂ７で見つけた累積確率に対応する選別圧力Ｐｏｎ２Ｈａｓ，Ｐｏｆｆ２Ｌａｓ，Ｐｏｆｆ２Ｈａｓを選別圧力として設定する。
【００７８】
図１３は、本発明の実施の他の形態における圧力スイッチ２１のオン圧Ｐｏｎに関する前述の図２に対応した特性を示すグラフである。この実施の形態は、前述の図１〜図１２の実施の形態に類似し、対応する部分には同一の参照符を用いる。
【００７９】
図１４は、図１３に示される実施の形態における前述の図１２の工程に代わる工程を示すフローチャートである。この実施の形態では、第２期間Ｗ２は、第１期間Ｗ１未満（Ｗ１＞Ｗ２）に選ばれ、たとえば第１期間Ｗ１は１０年であり、第２期間Ｗ２は５年である。未使用の複数の圧力スイッチを、ステップｆ２で、第２期間Ｗ２と等しい使用期間Ｗ３、使用した後、ステップｆ３で第１動作圧力Ｐｏｎ３を測定し、ステップｆ４で、その使用期間Ｗ３の使用後に範囲Ｒ１の規格圧力Ｐｏｎ０Ｌａの規格外になる圧力スイッチ２１の累積確率ｑｏｎ３Ｌを計算する。すなわち、Ｐｏｎ３（ｋ）≦Ｐｏｎ０Ｌａである個数ｗ１を求めて、累積確率ｑｏｎ３Ｌ（＝ｗ１／ｕ）を演算する。
【００８０】
【表５】
0003779920.tif 000006
【００８１】
ステップｆ５では、さらに期間Ｗ１３（＝Ｗ１−Ｗ３）、圧力スイッチ２１を使用する。その結果、合計第１期間Ｗ１にわたる使用後の全数ｕの各圧力スイッチ２１に、オン圧Ｐｏｎ１を、ステップｆ６で測定する。次に、第２期間Ｗ２の使用による特性の劣化と等価な劣化を、第２期間Ｗ２未満、たとえば１日〜１週間で促進して行う促進劣化試験をステップｆ７でそれぞれ行う。この促進劣化試験は、前述の表２に示される促進劣化試験に類似する。ステップｆ８では、促進劣化試験後の各圧力スイッチ２１の第２動作圧力Ｐｏｎ２をそれぞれ測定する。
【００８２】
第１期間Ｗ１の使用後の各圧力スイッチ２１の第２動作圧力Ｐｏｎ２が、複数ｋ種類の予め定める各設定圧力Ｐｏｎ２Ｌａｒの規格内にあるスイッチ２１のうち、動作圧力Ｐｏｎ２が規格圧力Ｐｏｎ０Ｌａの規格外になる累積確率ｑｏｎ２Ｌａｒ（＝ｗ２／ｕ）をステップｆ９で演算する。ここでｗ２は、Ｐｏｎ２≦Ｐｏｎ０Ｌａである圧力スイッチ２１の個数である。
【００８３】
ステップｆ１０では、こうして計算された複数ｋの累積確率ｑｏｎ２Ｌａｒのうち、第１累積確率ｑｏｎ０Ｌａ未満であって、累積確率ｑｏｎ３Ｌに最も近似した値ｑｏｎ２Ｌａｓに対応する設定圧力Ｐｏｎ２Ｌａｓを、ステップｆ１１で選別圧力として設定する。こうして選別圧力Ｐ２ｏｎ２Ｌａｓを予め設定しておき、第１期間Ｗ１の使用後の圧力スイッチ２１の中から、その動作圧力Ｐｏｎが選別圧力Ｐｏｎ２Ｌａｓ以上である圧力スイッチ２１だけを選別して、次の後続する第２期間Ｗ２において再使用する。これによって選別された圧力スイッチが、第２期間Ｗ２、さらに再使用された後、その第２期間Ｗ２使用後の圧力スイッチ２１の動作圧力Ｐｏｎは、規格範囲Ｒ１内に存在し、累積確率ｑｏｎ０Ｌａ未満であって、累積確率ｑｏｎ１Ｌに近似した値となる。上述の説明は、主としてオン圧Ｐｏｎ１，Ｐｏｎ２の下限値に関連して説明したけれども、上限値に関しても同様に実施することができ、さらにオフ圧Ｐｏｆｆ１，Ｐｏｆｆ２に関しても前述の規格範囲Ｒ２に関連して述べたのと同様に、本発明が実施されることができる。図１４では、これらのオン圧Ｐｏｎ２Ｈａｒとその累積確率ｑｏｎ２Ｈａｒならびにオフ圧下限値Ｐｏｆｆ２Ｌａｒと上限値Ｐｏｆｆ２Ｈａｒの各累積確率ｑｏｎ２Ｈａｒ，ｑｏｆｆ２Ｌａｒ，ｑｏｆｆ２Ｈａｒに関連してもまた同様に、本発明を実施することができ、これによって設定圧力Ｐｏｎ２Ｈａｓ，Ｐｏｆｆ２Ｌａｓ，Ｐｏｆｆ２Ｈａｓを選別圧力として設定することができる。
【００８４】
図１５は、図１〜図１４に関連して述べた前述の実施の各形態の方法を実現するための装置５１のブロック図である。入力手段５２によって、オン圧およびオフ圧などの圧力値Ｐｏｎ１，Ｐｏｎ２；Ｐｏｆｆ１，Ｐｏｆｆ２と、圧力スイッチ２１の計数した個数などを入力する。マイクロコンピュータなどによって実現される処理回路５３は、入力手段５２の出力に応答し、前述の図１１、図１２、図１４などの演算を行い、その演算結果を表示手段５４に表示し、またプリンタ５５によって記録紙に印字する。
【００８５】
本発明の実施の形態では、図１２のステップｂ５以降の各ステップは、複数ｄ（たとえばこの実施の形態では表２のように１３）種類の促進劣化の各試験項目毎に、実行されてもよい。図１２のステップｂ５で表２の複数ｄ（たとえばこの実施の形態ではｄ＝１３）種類の各試験項目毎の促進劣化試験後に、圧力スイッチ２１の動作圧力、すなわちオン圧Ｐｏｎ２を測定し、各試験項目毎のたとえば前述のように５０個ずつの圧力スイッチ２１の累積確率ｑｏｎ２Ｌｅ（ｅは１〜ｄの自然数）を演算する。次に複数ｄの各累積確率ｑｏｎ２Ｌｅの平均累積確率ｑｍを演算する。
【００８６】
この平均累積確率ｑｍを前述の第２累積確率として、ｑｏｎ２Ｌの代りに用いる。平均累積確率ｑｍが、第１累積確率ｑｏｎ１Ｌとほぼ等しい範囲に、またはｑｍがｑｏｎ１Ｌ未満となる範囲に、第３規格範囲を選ぶ。本発明の実施の他の形態では、前述の平均累積確率ｑｍは、第１および第２累積確率ｑｏｎ１Ｈ；ｑｏｆｆ１Ｌ，ｑｏｆｆ１Ｈ；ｑｏｎ２Ｈ；ｑｏｆｆ２Ｌ，ｑｏｆｆ２Ｈに関連して前述と同様に第３または第４規格範囲が選ばれてもよい。
【００８７】
本発明は、圧力スイッチに関連して実施されるだけでなく、そのほかの部品などに関連して広範囲に実施することができる。
【００８８】
【発明の効果】
本発明によれば、ガスメータなどにおいて用いられる圧力スイッチを、第１期間Ｗ１使用した後、次の第２期間Ｗ２において再使用することができ、この第２期間Ｗ２の使用後においても、第１規格範囲Ｒ１の規格外になる累積確率を、予め定める第１累積確率ｑｏｎ０Ｌａ未満に低く抑えることができるようになる。こうして圧力スイッチを再使用することによって、資源の有効利用、コスト削減を図ることができるようになる。さらに本発明は、圧力スイッチ以外の部品に関連してもまた、実施することができる。
【図面の簡単な説明】
【図１】圧力スイッチ２１の特性を示すグラフである。
【図２】圧力スイッチ２１のオン圧の特性を示すライン２２，２４を拡大して示すグラフである。
【図３】圧力スイッチ２１のオフ圧の特性を示すライン２３，２５を拡大して示すグラフである。
【図４】圧力スイッチ２１の縦断面図である。
【図５】圧力スイッチ２１を備えるガスメータ４１の一部を切欠いて示す断面図である。
【図６】図４に示されるガスメータ４１の構成を簡略化して示すブロック図である。
【図７】未使用の圧力スイッチ２１のスイッチング状態がオンになる動作圧力Ｐの累積確率を示すグラフである。
【図８】第１期間Ｗ１使用後の圧力スイッチ２１の動作圧力Ｐｏｎの累積確率を示すグラフである。
【図９】圧力スイッチ２１のオン圧下限値Ｐｏｎ０Ｌａである動作圧力Ｐｏｎの規格外の累積確率ｑｏｎ１Ｌを示すグラフである。
【図１０】第１期間Ｗ１の使用後に回収された圧力スイッチ２１を選別して、次に続く第２期間Ｗ２、再使用するために選別する方法を示す図である。
【図１１】図１０のさらに具体的な工程を示すフローチャートである。
【図１２】選別圧力Ｐｏｎ２Ｌａｓを設定するための方法を説明するための図である。
【図１３】本発明の実施の他の形態における圧力スイッチ２１のオン圧Ｐｏｎに関する前述の図２に対応した特性を示すグラフである。
【図１４】図１３に示される実施の形態における前述の図１２の工程に代わる工程を示すフローチャートである。
【図１５】図１〜図１４に関連して述べた前述の実施の各形態の方法を実現するための装置５１のブロック図である。
【符号の説明】
２１  圧力スイッチ
２３  ダイヤフラム
３５  可動接点
３６  固定接点
４１  ガスメータ
４４  遮断弁
【図１】
0003779920.tif 000007
【図２】
0003779920.tif 000008
【図３】
0003779920.tif 000009
【図４】
0003779920.tif 000010
【図５】
0003779920.tif 000011
【図６】
0003779920.tif 000012
【図７】
0003779920.tif 000013
【図８】
0003779920.tif 000014
【図９】
0003779920.tif 000015
【図１０】
0003779920.tif 000016
【図１１】
0003779920.tif 000017
【図１２】
0003779920.tif 000018
【図１３】
0003779920.tif 000019
【図１４】
0003779920.tif 000020
【図１５】
0003779920.tif 000021